(57)【要約】  アイウェアは、フレームと、フレームに支持され、電気的制御により光学特性が変化する光学特性変化部を有するレンズと、外部端末から情報を受信する通信部と、外部端末から受信した情報に基づいて、光学特性変化部を制御する制御部と、を備える。
2020067265.tif 000002
【特許請求の範囲】
【請求項１】
フレームと、
前記フレームに支持され、電気的制御により光学特性が変化する光学特性変化部を有するレンズと、
外部端末から第一情報を受信する通信部と、
前記第一情報に基づいて、前記光学特性変化部を制御する制御部と、を備える、
アイウェア。
【請求項２】
前記制御部は、前記第一情報が前記外部端末の使用開始を示す情報である場合、前記光学特性変化部をＯＮ状態にする、請求項１に記載のアイウェア。
【請求項３】
前記制御部は、前記第一情報が前記外部端末の使用終了を示す情報である場合、前記光学特性変化部をＯＦＦ状態にする、請求項１又は２に記載のアイウェア。
【請求項４】
前記通信部は、前記光学特性変化部のＯＮ状態の継続時間が所定時間以上である場合、前記継続時間が前記所定時間以上であることを示す時間超過情報を、前記外部端末に送信する、請求項１〜３の何れか一項に記載のアイウェア。
【請求項５】
前記通信部は、前記光学特性変化部のＯＮ状態の継続時間が所定時間以上である場合、アラート情報を表示させるための信号を前記外部端末に送信する、請求項１〜４の何れか一項に記載のアイウェア。
【請求項６】
前記通信部は、前記光学特性変化部のＯＮ状態の継続時間が所定時間以上である場合、前記外部端末の表示を停止させるための信号を、前記外部端末に送信する、請求項１〜５の何れか一項に記載のアイウェア。
【請求項７】
前記通信部は、前記光学特性変化部のＯＮ状態の継続時間が所定時間以上である場合、ユーザに運動を促す情報を表示させるための信号を、前記外部端末に送信する、請求項１〜６の何れか一項に記載のアイウェア。
【請求項８】
前記第一情報は、前記アイウェアのユーザの状態に関する情報であり、
前記制御部は、前記ユーザの状態に関する情報が、所定条件に該当する場合に、前記光学特性変化部をＯＮ状態にする、請求項１〜７の何れか一項に記載のアイウェア。
【請求項９】
前記第一情報は、前記アイウェアの状態に関する情報であり、
前記制御部は、前記アイウェアの状態に関する情報が、所定条件に該当する場合に、前記光学特性変化部をＯＮ状態にする、請求項１〜８の何れか一項に記載のアイウェア。
【請求項１０】
前記アイウェアの角度を検出する第一角度検出部を、さらに備え、
前記制御部は、前記第一情報、及び前記第一角度検出部の検出値に基づいて、前記光学特性変化部を制御する、請求項１〜９の何れか一項に記載のアイウェア。
【請求項１１】
前記制御部は、取得した前記アイウェアの角度に関する情報に基づいて、前記アイウェアのユーザの姿勢が、前記アイウェアの使用に適切な姿勢であるか否かを判定し、
前記通信部は、前記ユーザの姿勢が適切でない場合、前記制御部の判定結果に関する情報を前記外部端末に送信する、請求項１〜１０の何れか一項に記載のアイウェア。
【請求項１２】
前記制御部は、取得した前記アイウェアと前記外部端末との距離に関する情報に基づいて、前記アイウェアを使用中のユーザの姿勢が、前記アイウェアの使用に適切な姿勢であるか否かを判定し、
前記通信部は、前記ユーザの姿勢が適切でない場合、前記制御部の判定結果に関する情報を前記外部端末に送信する、請求項１〜１１の何れか一項に記載のアイウェア。
【請求項１３】
前記レンズに対向する情報媒体に関する情報を取得する取得部と、
前記フレームの傾斜角に関する角度情報を検出する第二角度検出部と、
第一モードにおいて、ユーザからの入力に基づいて、前記電気的制御を行い、第二モードにおいて、前記第二角度検出部の検出値及び前記情報媒体に関する情報に基づいて前記電気的制御を行う制御部と、を備える
請求項１〜１２の何れか一項に記載のアイウェア。
【請求項１４】
前記情報媒体は、前記アイウェアに無線接続された前記外部端末であり、
前記取得部は、前記外部端末から前記情報媒体に関する情報を取得する、請求項１３に記載のアイウェア。
【請求項１５】
前記情報媒体毎の第一閾値を記憶する記憶部を、さらに備え、
前記制御部は、前記第二モードにおいて、取得した前記情報媒体に関する情報に対応する前記第一閾値を、前記記憶部から取得し、前記第二角度検出部の検出値が、前記第一閾値以上の場合に、前記電気的制御により前記光学特性変化部をＯＮ状態にする、請求項１３又は１４に記載のアイウェア。
【請求項１６】
前記記憶部は、前記情報媒体毎の第二閾値を記憶し、
前記制御部は、前記第二モードにおいて、取得した前記情報媒体に関する情報に対応する前記第二閾値を、前記記憶部から取得し、前記第二角度検出部の検出値が、前記第二閾値以下の場合に、前記電気的制御により前記光学特性変化部をＯＦＦ状態にする、請求項１５に記載のアイウェア。
【請求項１７】
前記検出部は、前記第一モードにおいて、前記制御部の電気的制御により前記光学特性変化部がＯＮ状態になった際の前記角度情報を検出し、
前記制御部は、前記記憶部に記憶された前記第一閾値を、前記第一モードにおける前記第二角度検出部の検出値に更新する、請求項１５又は１６に記載のアイウェア。
【請求項１８】
前記検出部は、前記第一モードにおいて、前記制御部の電気的制御により前記光学特性変化部がＯＮ状態となってからＯＦＦ状態になるまでの期間、前記角度情報を検出し、
前記制御部は、前記記憶部に記憶された前記第一閾値を、前記期間において前記第二角度検出部により最も高頻度で検出された検出値に更新する、請求項１５又は１６に記載のアイウェア。
【請求項１９】
アイウェアと無線接続される外部端末に搭載されたコンピュータに、
前記外部端末に関する情報、前記アイウェアに関する情報、及び、前記アイウェアのユーザに関する情報のうちの少なくとも一つの情報である第一情報を検出する処理と、
前記第一情報を前記アイウェアに送信する処理と、
を実施させるプログラム。
【請求項２０】
前記外部端末に関する情報は、前記外部端末の状態に関する状態情報であり、
前記送信する処理において、前記状態情報が所定状態に該当する場合に、前記状態情報を前記アイウェアに送信する、請求項１９に記載のプログラム。
【請求項２１】
前記所定状態は、前記外部端末のスリープ状態が解除された状態、前記外部端末の電源がＯＦＦからＯＮに変わった状態、前記外部端末において特定のアプリケーションが起動された状態、及び、前記外部端末においてユーザによる入力が行われた状態のうちの少なくとも一つの状態である、請求項２０に記載のプログラム。
【請求項２２】
前記所定状態は、前記外部端末がスリープ状態に変わった状態、前記外部端末の電源がＯＮからＯＦＦに変わった状態、前記外部端末において特定のアプリケーションが停止された状態、及び、前記外部端末においてユーザによる入力が所定時間行われていない状態のうちの少なくとも一つの状態である、請求項２０又は２１に記載のプログラム。
【請求項２３】
前記外部端末と、前記外部端末に対向する物体との距離を取得する処理と、
前記距離が、所定値以下の場合、前記外部端末の表示部にアラート情報を表示させる処理と、をさらに前記コンピュータに実施させる、
請求項１９〜２２の何れか一項に記載のプログラム。
【請求項２４】
前記送信する処理の後、前記第一情報に対応した情報を前記アイウェアから受信した場合、前記第一情報に対応した情報に基づいて、表示部の表示を制御する処理を、さらに備える、請求項１９〜２３の何れか一項に記載のプログラム。
【請求項２５】
フレームに支持され、電気的制御により光学特性が変化する光学特性変化部を有するレンズを備えるアイウェアに搭載されたコンピュータに、
前記レンズに対向する情報媒体に関する情報を取得する処理と、
前記フレームの傾斜角に関する角度情報を検出する処理と、
検出した前記角度情報及び取得した前記情報媒体に関する情報に基づいて前記電気的制御を行う処理と、
を実施させるプログラム。
【請求項２６】
前記情報媒体に対応する第一閾値を取得する処理を、さらに含み
前記電気的制御を行う処理は、前記傾斜角に関する情報が前記第一閾値に一致した場合に、前記光学特性変化部をＯＮ状態にする、請求項２５に記載のプログラム。
【請求項２７】
前記傾斜角に関する情報を検出する処理を、ユーザの操作入力に基づいて前記電気的制御が行われた際に行わせ、記憶された前記第一閾値を、検出された前記傾斜角に関する情報に更新する処理、をさらに含む、請求項２６に記載のプログラム。
【発明の詳細な説明】
【技術分野】
【０００１】
本発明は、アイウェア、及び、プログラムに関する。
【背景技術】
【０００２】
近年、使用者が身に付けることができる電子機器の開発が行われている。当該電子機器の例には、電圧によって度数を切替え可能な領域を有するアイウェア（例えば、電子メガネ）が含まれる（特許文献１参照）。【０００３】
上述のアイウェアのレンズは、一方の面に透明な第一電極が配置された透明な第一基板と、一方の面に透明な第二電極が配置された透明な第二基板と、第一電極と第二電極との間に配置された液晶層と、を有する。具体的には、第一基板の少なくとも一部には、同心円状の複数の突条が形成された回折領域が設けられている。液晶層は、第一基板の厚さ方向において回折領域と対向する位置に配置されている。【０００４】
液晶層は、電圧の印加の有無に応じて、その屈折率が変化するように構成されている。液晶層への電圧の印加の有無に対応して液晶層の屈折率が変わると、レンズにおける液晶層に対応する部分（以下、「光学特性変化部」と称する。）の度数が変わる。
【先行技術文献】
【特許文献】
【０００５】
【特許文献１】特表２０１０−５３２４９６号公報
【発明の概要】
【発明が解決しようとする課題】
【０００６】
上述のような光学特性変化部を有するアイウェアの場合、スマートフォンやパソコンなどの外部端末と連携して、光学特性変化部の制御を行うことは意図されていない。【０００７】
本発明は、上述のような状況に鑑みなされたものであり、アイウェアが外部端末と連携して光学特性変化部の制御を行うことができる技術を提供することを課題とする。
【課題を解決するための手段】
【０００８】
本発明の一態様に係るアイウェアは、フレームと、フレームに支持され、電気的制御により光学特性が変化する光学特性変化部を有するレンズと、外部端末から第一情報を受信する通信部と、第一情報に基づいて、光学特性変化部を制御する制御部と、を備える。【０００９】
本発明の一態様に係るプログラムは、アイウェアと無線接続される外部端末に搭載されたコンピュータに、外部端末に関する情報、アイウェアに関する情報、及び、アイウェアのユーザに関する情報のうちの少なくとも一つの情報である第一情報を検出する処理と、第一情報をアイウェアに送信する処理と、を実施させる。
【発明の効果】
【００１０】
本発明によれば、アイウェアは、外部端末と連携して光学特性変化部の制御を行うことができる。
【図面の簡単な説明】
【００１１】
【図１】図１は、電子メガネの斜視図である。
【図２】図２は、実施形態１に係る電子メガネの内部回路及びシステム構成の一例を示すブロック図である。
【図３】図３は、レンズの断面図である。
【図４Ａ】図４Ａは、電子メガネの前傾角度について説明するための模式図である。
【図４Ｂ】図４Ｂは、電子メガネの前傾角度について説明するための模式図である。
【図４Ｃ】図４Ｃは、電子メガネと外部端末との距離について説明するための模式図である。
【図４Ｄ】図４Ｄは、電子メガネと外部端末との距離について説明するための模式図である。
【図５】図５は、外部端末の構成の一例を示すブロック図である。
【図６】図６は、外部端末のハードウェア構成を示すブロック図である。
【図７】図７は、サーバの構成の一例を示すブロック図である。
【図８】図８は、自動起動制御のフローチャートである。
【図９】図９は、自動停止制御のフローチャートである。
【図１０】図１０は、超過予防制御のフローチャートである。
【図１１】図１１は、使用状態改善制御のフローチャートである。
【図１２】図１２は、実施形態２に係る電子メガネの内部回路及びシステム構成の一例を示すブロック図である。
【図１３】図１３は、外部端末の構成の一例を示すブロック図である。
【図１４】図１４は、外部端末のハードウェア構成を示すブロック図である。
【図１５】図１５は、電子メガネ、外部端末、及び、サーバの記憶部に記憶されるデータのデータ構造を説明するための図である。
【図１６Ａ】図１６Ａは、電子メガネＧのオートモードにおける動作を示すフローチャートである。
【図１６Ｂ】図１６Ｂは、図１６Ａの処理１のフローチャートである。
【図１６Ｃ】図１６Ｃは、図１６Ａの処理２のフローチャートである。
【図１７Ａ】図１７Ａは、自動学習制御のフローチャートである。
【図１７Ｂ】図１７Ｂは、図１７Ａの処理３のフローチャートである。
【図１７Ｃ】図１７Ｃは、図１７Ａの処理４のフローチャートである。
【発明を実施するための形態】
【００１２】
本発明のいくつかの実施形態について、図面を用いて詳細に説明する。本明細書の全体を通じて同一要素には、特に断らない限り、同一符号を付す。添付の図面と共に以下に記載される事項は、例示的な実施形態を説明するためのものであり、唯一の実施形態を示すためのものではない。例えば、実施形態において動作の順序が示された場合、動作の順序は、全体的な動作として矛盾が生じない範囲で、適宜に変更されてもよい。以下、説明の便宜上、実施形態１と実施形態２とに分けて説明するが、実施形態１と実施形態２とは、適宜組み合わせてよい。実施形態１及び実施形態２において、異なる符号が付された要素同士であっても、これらの要素同士は、技術的に矛盾しない範囲において、同一のハードウェアにより構成されてよい。
【００１３】
［実施形態１］
以下、本発明の実施形態１に係るアイウェアの構成について説明する。アイウェアは、例えば、図１に示す電子メガネＧであってよい。
【００１４】
図１は、電子メガネＧの斜視図である。図２は、電子メガネＧの内部回路及びシステム構成の一例を示すブロック図である。
【００１５】
＜電子メガネ＞
電子メガネＧは、フレーム１０、一対のレンズ１１、操作入力部１２、電源１３、通信部１４、角度検出部１５、距離検出部１６、照度検出部１７、動作検出部１８、記憶部１９、及び、制御部２０などを有する。なお、以下の説明では、フロント１０ａが配置される部分を電子メガネＧの正面（前方）として説明する。
【００１６】
電子メガネＧのユーザ（装着者）は、フレーム１０に設けられた操作入力部１２を操作（例えば、タッチ操作）することにより、レンズ１１の第一領域１１ａにおける特性変化部１１１（図３参照）の光学特性（度数又は光の透過率など）を切り替える。特性変化部１１１は、光学特性変化部の一例に該当する。
【００１７】
ユーザにより操作入力部１２が操作されると、制御部２０は、当該操作に基づいて、特性変化部１１１に電圧を印可した状態（以下、「ＯＮ状態」という。）と、電圧を印可しない状態（以下、「ＯＦＦ状態」という。）とを切り替える。特性変化部１１１のＯＮ状態は、電子メガネＧのＯＮ状態でもある。また、特性変化部１１１のＯＦＦ状態は、電子メガネＧのＯＦＦ状態でもある。
【００１８】
＜レンズ＞
図３は、一対のレンズ１１の構成の一例を示す断面模式図である。図３は、図１のＡ−Ａ断面図である。以下の説明では、電子メガネＧの右眼用のレンズ１１について説明する。
【００１９】
レンズ１１は、電圧によりその度数を切替え可能な第一領域（電気活性領域）１１ａと、第一領域１１ａ以外の領域に設けられた第二領域１１ｂと、を有する。
【００２０】
＜第一領域＞
図３に示すように、第一領域１１ａは、後側（図３における下側）から順に、第一基板１１０、特性変化部１１１、及び、第二基板１１２などを有する。
【００２１】
第一領域１１ａは、特性変化部１１１のＯＦＦ状態において、第二領域１１ｂの度数とほぼ同じ度数を有する。一方、第一領域１１ａは、特性変化部１１１のＯＮ状態において、第二領域１１ｂの度数と異なる度数を有する。
【００２２】
＜特性変化部＞
特性変化部１１１は、後側から順に、回折構造１１０ａ、第一電極１１１ａ、液晶モジュール１１１ｃ、及び、第二電極１１１ｅなどを有する。
【００２３】
特性変化部１１１は、液晶モジュール１１１ｃに電圧が印加されたＯＮ状態で、所定の屈折率を有する。なお、電圧の印加によって変化する特性変化部１１１の光学特性は、屈折率に限らない。一例として、レンズがエレクトロクロミックレンズの場合には、電圧の印加により変化する特性変化部１１１の光学特性は、光の透過率であってよい。
【００２４】
＜フロント＞
図１に示すように、フロント１０ａは、一対のレンズ１１を支持する一対のリム１０ｄと、一対のリム１０ｄを幅方向に互いに接続するブリッジ１０ｅと、を有する。リム１０ｄの形状は、レンズ１１の形状に対応する形状である。ブリッジ１０ｅは、使用者の鼻に接触する一対の鼻パッド１０ｆを有する。
【００２５】
図１に示すように、フロント１０ａの内部（例えば、内周面に形成された凹溝）には、レンズ１１の第一電極１１１ａ及び第二電極１１１ｅと、後述の制御部２０とを、それぞれ電気的に接続するための配線２１が設けられている。
【００２６】
なお、第一電極１１１ａ及び第二電極１１１ｅと、配線２１の導通部（不図示）とは、導電ゴムなどの導電部材（不図示）により接続されてよい。
【００２７】
＜テンプル＞
一対のテンプル１０ｂ、１０ｃは、電子メガネＧにおいてほぼ左右対称となるように形成されており、互いに同一の構成要素を有する。そこで、以下の説明では、右側（幅方向における一方側）用のテンプル１０ｂについて説明する。
【００２８】
テンプル１０ｂは、その前端部においてフロント１０ａに接続されている。例えば、テンプル１０ｂは、回転可能にフロント１０ａのリム１０ｄに係合されてよい。図１に示すように、テンプル１０ｂは、筐体１０ｇを有する。
【００２９】
＜操作入力部＞
操作入力部１２は、筐体１０ｇに保持されている。操作入力部１２は、例えば、静電容量方式の検出パッドを有する。検出パッドは、タッチセンサとして使用されうる公知の検出パッドであってよい。操作入力部１２は、ユーザの指が操作入力部１２に接触したときに、当該接触によって生じる静電容量の変化を検出してよい。
【００３０】
＜操作入力の例＞
操作入力部１２は、例えば、ユーザの操作入力部１２に対する操作入力（タッチ操作）を受け付ける。操作入力部１２は、複数種類の操作入力を受け付ける。既述の制御部２０は、操作入力部１２が受け付けた操作入力に対応する制御を行う。以下、操作入力の一例について説明する。
【００３１】
第一操作入力は、特性変化部１１１をＯＦＦ状態からＯＮ状態に切り替えるための入力である。操作入力部１２は、特性変化部１１１のＯＦＦ状態において、第一操作入力を受け付けてよい。
【００３２】
第二操作入力は、特性変化部１１１をＯＮ状態からＯＦＦ状態に切り替えるための入力である。操作入力部１２は、特性変化部１１１のＯＮ状態において、第二操作入力を受け付けてよい。
【００３３】
＜電源＞
電源１３は、操作入力部１２、通信部１４、角度検出部１５、距離検出部１６、照度検出部１７、動作検出部１８、記憶部１９、及び、制御部２０などに電力を供給する。本実施形態では、電源１３は、テンプル１０ｂ、１０ｃの他端部（後端部）に着脱可能に保持される充電式のバッテリーパックである。
【００３４】
＜通信部＞
通信部１４は、後述の外部端末５と無線通信により通信する。そのため、通信部１４は、例えば、情報の送信部及び受信部（不図示）を備えてよい。通信部１４による外部端末５との通信は、例えば、制御部２０によって制御されてよい。
【００３５】
無線通信は、ＷｉＦｉ（登録商標）、Ｂｌｕｅｔｏｏｔｈ（登録商標）、無線ＬＡＮ、又は、ＮＦＣ（Near Field Communication）などであってよい。
【００３６】
通信部１４は、後述のサーバ７とネットワークＮを介して通信する機能を有してもよい。通信部１４によるサーバ７との通信は、例えば、制御部２０によって制御されてよい。
【００３７】
通信部１４は、外部端末５から情報を受信する。通信部１４が外部端末５から受信する情報は、例えば、外部端末５の状態に関する情報（以下、「端末状態情報」と称する。）、電子メガネＧの状態に関する情報（以下、「メガネ状態情報」と称する。）、及び、電子メガネＧのユーザの状態に関する情報（以下、「ユーザ状態情報」と称する。）のうちの少なくとも一つの情報を含んでよい。通信部１４は、受信した情報を、制御部２０に送る。このような情報は、制御部２０によって実施される、特性変化部１１１の制御に用いられてよい。なお、端末状態情報、メガネ状態情報、及び、ユーザ状態情報は、第一情報の一例に該当する。
【００３８】
端末状態情報は、例えば、外部端末５の使用開始を示す情報を含んでよい。使用開始を示す情報は、例えば、外部端末５の電源がＯＦＦ状態からＯＮ状態へと切り替わったことを示す情報であってよい。また、使用開始を示す情報は、外部端末５のスリープ状態が解除されたことを示す情報であってよい。また、使用開始を示す情報は、外部端末５において、特定のアプリケーションが起動されたことを示す情報であってよい。特定のアプリケーションは、複数であってもよい。特定のアプリケーションは、外部端末５に予め登録されたアプリケーションであってよい。また、使用開始を示す情報は、外部端末５において、ユーザの操作入力が行われたことを示す情報であってよい。
【００３９】
また、端末状態情報は、使用を開始したアプリケーションによって外部端末５の画面に表示される文字のフォントの大きさに関する情報（文字のサイズ情報ともいう。）、又は、外部端末５の画面の明るさ（輝度）を示す情報などを含んでよい。
【００４０】
なお、使用開始を示す情報は、外部端末５のカメラ又はセンサが、電子メガネＧが所定距離内（位置）に入ったことを認識したことを示す情報であってよい。
【００４１】
端末状態情報は、例えば、外部端末５の使用終了を示す情報を含んでよい。使用終了を示す情報は、例えば、外部端末５の電源がＯＮ状態からＯＦＦ状態へと切り替わったことを示す情報であってよい。また、使用終了を示す情報は、外部端末５がスリープ状態に切り替わったことを示す情報であってよい。
【００４２】
また、使用終了を示す情報は、外部端末５において、特定のアプリケーションが終了されたことを示す情報であってよい。また、使用終了を示す情報は、外部端末５において、ユーザの操作入力が所定時間行われていないことを示す情報であってよい。
【００４３】
また、使用終了を示す情報は、外部端末５のカメラ又はセンサが、電子メガネＧが所定距離外（位置）に出たことを認識したことを示す情報であってよい。また、使用終了を示す情報は、外部端末５の加速度センサや角速度センサが、外部端末５が所定の加速度又は角速度で動いたことを認識したことを示す情報であってよい。
【００４４】
また、端末状態情報は、例えば、外部端末５の画面の明るさ（輝度）と、外部端末５の周辺環境光との差に関する情報を含んでよい。また、端末状態情報は、ユーザの眼（電子メガネＧでもよい。）から外部端末５までの距離に関する情報であってよい。
【００４５】
メガネ状態情報は、電子メガネＧの角度（姿勢）に関する情報、及び、電子メガネＧの移動（動き）に関する情報のうちの少なくとも一つの情報を含んでよい。
【００４６】
ユーザ状態情報は、ユーザの姿勢に関する情報、ユーザ又は電子メガネＧと外部端末５との距離に関する情報、及び、外部端末５の使用継続時間に関する情報のうちの少なくとも一つの情報を含んでよい。また、ユーザ状態情報は、外部端末５の撮像部５４によって撮像されたユーザの撮像画像情報を含んでもよい。
【００４７】
＜角度検出部＞
角度検出部１５は、第一角度検出部の一例に該当し、例えば、電子メガネＧのテンプル１０ｂに設けられた角度センサである。角度検出部１５は、テンプル１０ｃに設けられてもよい。また、角度検出部１５は、フロント１０ａに設けられてもよい。
【００４８】
角度検出部１５は、電子メガネＧの角度に関する情報を検出する。角度検出部１５は、所定の時間間隔で、電子メガネＧの角度を検出してよい。角度検出部１５は、例えば、水平方向（図４Ａ及び図４Ｂの直線Ｌ１参照）に対する電子メガネＧの前傾角度θを検出してよい。例えば、図４Ａに示すように、電子メガネＧのテンプル１０ｂが水平方向に平行な状態における前傾角度θを、基準状態における前傾角度と定めてよい。前傾角度θは、図４Ｂに示すように、電子メガネＧが基準状態から、前傾するほど大きくなる。
【００４９】
前傾角度θが０°の状態で、ユーザは、正面を向いていると判断される。また、前傾角度θが大きくなるほど、ユーザの顔が下方を向いていると判断される。角度検出部１５は、検出値（角度情報）を、制御部２０に送ってよい。角度検出部１５は、検出値（角度情報）を、記憶部１９に送ってもよい。
【００５０】
＜距離検出部＞
距離検出部１６は、例えば、電子メガネＧのフロント１０ａに設けられた赤外線測距センサ、超音波測距センサ、又は、レーザ測距センサなどの測距センサである。距離検出部１６は、電子メガネＧと、レンズ１１の光軸方向（以下、単に「光軸方向」と称する。）において電子メガネＧと対向する物体との距離Ｌ（図４Ｃ及び図４Ｄ参照）を検出する。なお、図４Ｃにおいて、外部端末５は、スマートフォン又はタブレット端末である。また、図４Ｄにおいて、外部端末５は、デスクトップ型パソコンである。
【００５１】
例えば、距離検出部１６は、電子メガネＧと、光軸方向において電子メガネＧと対向する外部端末５（具体的には、外部端末５の表示部５３）との距離Ｌを検出する。距離検出部１６は、検出値（距離情報）を制御部２０に送ってよい。角度検出部１５は、検出値（距離情報）を、記憶部１９に送ってもよい。
【００５２】
なお、距離検出部１６は、上記距離Ｌを、外部端末５から取得してもよい。外部端末５は、上記距離Ｌを、カメラなどの撮像装置で撮像した画像に基づいて算出してよい。一例として、外部端末５は、撮像の際、オートフォーカス機能により合焦した距離の情報に基づいて上記距離Ｌを算出してよい。なお、外部端末５が算出する距離情報は、ユーザ状態情報の一例に該当する。
【００５３】
＜照度検出部＞
照度検出部１７は、例えば、電子メガネＧのフロント１０ａに設けられた照度センサである。照度検出部１７は、周囲の照度を検出する。照度検出部１７は、検出値（照度情報）を制御部２０に送ってよい。角度検出部１５は、検出値（照度情報）を、記憶部１９に送ってもよい。照度検出部１７は、例えば、紫外線照度センサであってもよい。
【００５４】
なお、照度検出部１７は、照度情報を外部端末５から取得してもよい。外部端末５は、カメラなどの撮像装置の撮像情報、又は、照度センサの検出値に基づいて、電子メガネＧの周囲の照度情報を取得してよい。なお、照度情報は、メガネ状態情報の一例に該当する。
【００５５】
＜動作検出部＞
動作検出部１８は、電子メガネＧが移動している（つまり、ユーザが移動している。）ことを検出する。また、動作検出部１８は、電子メガネＧのユーザの歩行動作、立ち上がる動作、及び、座る動作のうちの少なくとも一つの動作を検出してよい。動作検出部１８は、例えば、フレーム１０（フロント１０ａ又はテンプル１０ｂ、１０ｃ）に設けられた角速度センサ又は加速度センサである。動作検出部１８は、検出値（動作情報）を、制御部２０に送ってよい。動作検出部１８は、検出値（動作情報）を、記憶部１９に送ってもよい。
【００５６】
なお、上記動作情報は、制御部２０により、電子メガネＧのユーザを遠隔地から見守っている人（例えば、家族など）の端末（以下、「見守り端末」と称する。）などに送信されてよい。上記見守っている人は、見守り端末の表示部に表示された上記動作情報に基づいて、電子メガネＧのユーザが活動していることを知ることができる。
【００５７】
＜記憶部＞
記憶部１９は、通信部１４が外部端末５から取得した情報を記憶する。具体的には、記憶部１９は、通信部１４が外部端末５から取得した端末状態情報、メガネ状態情報、及び、ユーザ状態情報のうちの少なくとも一つの情報を記憶してよい。
【００５８】
また、記憶部１９は、電子メガネＧの各検出部により検出された角度情報、距離情報、照度情報、及び、動作情報のうち少なくとも一つの情報（以下、「使用状況に関する情報」と称する。）を記憶してもよい。
【００５９】
記憶部１９は、ユーザに関する情報（例えば、ユーザＩＤ）と対応付けて、使用状況に関する情報を記憶してもよい。また、記憶部１９は、電子メガネＧに関する情報（例えば、グラスＩＤ）と対応付けて、使用状況に関する情報を記憶してよい。グラスＩＤは、電子メガネＧを識別するための情報である。
【００６０】
記憶部１９は、外部端末５の使用開始時間、外部端末５の使用終了時間、及び、外部端末５の使用継続時間のうちの少なくとも一つの時間を記憶してよい。
【００６１】
記憶部１９は、特性変化部１１１のＯＮ状態の継続時間を記憶してよい。
【００６２】
＜制御部＞
制御部２０は、配線２１を介して、操作入力部１２の検出パッド、第一電極１１１ａ、及び、第二電極１１１ｅに電気的に接続されている。このような制御部２０は、既述の通信部１４、角度検出部１５、距離検出部１６、照度検出部１７、動作検出部１８、及び、記憶部１９の機能を制御する。
【００６３】
制御部２０は、操作入力部１２が対象物の接触を検出したときに、一対のレンズ１１に電圧を印加するか、又は、一対のレンズ１１への電圧の印加を停止して、第一領域１１ａの度数又は光の透過率を切替える（図２参照）。
【００６４】
具体的には、制御部２０は、操作入力部１２が、特性変化部１１１への電圧の印加を停止することを示す情報を受け付けた場合に、特性変化部１１１への電圧の印加を停止する。
【００６５】
また、制御部２０は、操作入力部１２が、特性変化部１１１に電圧を印加することを示す情報を受け付けた場合には、特性変化部１１１に電圧を印加する。
【００６６】
制御部２０は、通信部１４が外部端末５から受信した情報に基づいて、特性変化部１１１を制御する。具体的には、制御部２０は、通信部１４が外部端末５から受信した端末状態情報、メガネ状態情報、及び、ユーザ状態情報のうちの少なくとも一つの情報に基づいて特性変化部１１１を制御してよい。上記一つの情報は、第一情報の一例に該当する。
【００６７】
より具体的には、制御部２０は、通信部１４から外部端末５の使用開始を示す情報を取得した場合、一対のレンズ１１に電圧を印加して、電子メガネＧをＯＮ状態としてよい。
【００６８】
また、制御部２０は、通信部１４から外部端末５の使用開始を示す情報を取得した場合、この情報と、角度検出部１５から取得した角度情報に基づいて、電子メガネＧをＯＮ状態にするか否かを判定してもよい。具体的には、制御部２０は、通信部１４から外部端末５の使用開始を示す情報を取得した場合、角度検出部１５から取得した角度情報に基づいて、ユーザの姿勢を検出する。そして、ユーザの姿勢が、外部端末５の使用に適した姿勢である場合に、電子メガネＧをＯＮ状態としてもよい。
【００６９】
また、制御部２０は、通信部１４から外部端末５の使用終了を示す情報を取得した場合、一対のレンズ１１への電圧の印加を停止して、電子メガネＧをＯＦＦ状態としてよい。
【００７０】
制御部２０は、後述の電子メガネの自動起動制御によって電子メガネＧがＯＮ状態となった場合に、電子メガネＧのＯＮ状態の継続時間（以下、単に「ＯＮ状態の継続時間」と称する。）を取得する。そして、制御部２０は、ＯＮ状態の継続時間が、所定時間以上であるか否かを判定する。制御部２０は、ＯＮ状態の継続時間が所定時間以上である場合、ＯＮ状態の継続時間が所定時間を超えたことを示す情報（以下、「時間超過情報」と称する。）を外部端末５に送信するように、通信部１４を制御する。
【００７１】
制御部２０は、照度検出部１７から取得した照度情報に基づいて、外部端末５の周辺の環境光の明るさ（照度）と、外部端末５の表示部５３の明るさ（輝度）との差（以下、「明るさの差」と称する。）を算出してよい。制御部２０は、外部端末５の表示部５３の明るさに関する情報を、外部端末５から取得してよい。
【００７２】
制御部２０は、明るさの差が、所定値以上であるか否かを判定してよい。明るさの差が所定値以上の場合、制御部２０は、使用状態改善情報を外部端末５に送信するように、通信部１４を制御してよい。使用状態改善情報は、外部端末５において使用状態改善処理を実施させるための情報である。この場合に外部端末５において実施される使用状態改善処理は、例えば、明るさの差が所定値以上であることを示す情報を表示部５３に表示する処理であってよい。また、使用状態改善処理は、明るさの差を小さくするように促す情報を表示部５３に表示する処理であってよい。又、使用状態改善処理は、明るさの差が小さくなるように外部端末５の表示部５３の明るさ（輝度）を調整する処理であってよい。
【００７３】
制御部２０は、取得した角度情報、距離情報、照度情報、及び、動作情報のうち少なくとも一つの情報（使用状況に関する情報）を、電子メガネＧに接続されたサーバ７に送信するように、通信部１４を制御してもよい。制御部２０は、使用状況に関する情報に、電子メガネＧのユーザに関する情報（例えば、ユーザＩＤ）を含めてよい。
【００７４】
制御部２０は、使用状況に関する情報に、電子メガネＧに関する情報（例えば、グラスＩＤ）を含めてよい。なお、使用状況に関する情報は、角度検出部１５、距離検出部１６、照度検出部１７、及び、動作検出部１８から取得した情報であってよい。また、使用状況に関する情報は、記憶部１９に記憶された情報であってもよい。
【００７５】
制御部２０は、特性変化部１１１のＯＮ状態及び／又はＯＦＦ状態において、動作検出部１８から取得した動作情報に基づいて、ユーザが動作していること、及び／又は、ユーザの動作時間などの情報（以下、「ユーザの動作情報」と称する。）を検出してよい。制御部２０は、ユーザの動作情報を、上記見守り端末に送信するように、通信部１４を制御してよい。
【００７６】
制御部２０は、取得した角度情報に基づいて、ユーザの姿勢を判定してよい。例えば、電子メガネＧの前傾角度θ（図４Ｂ参照）が所定角度以上の場合に、制御部２０は、ユーザの姿勢が悪いと判定してよい。また、電子メガネＧの前傾角度θが所定角度より小さい場合に、制御部２０は、ユーザの姿勢が良いと判定してよい。制御部２０は、ユーザの姿勢が悪い（適切でない）場合に、使用状態改善情報を外部端末５に送信するように、通信部１４を制御してよい。使用状態改善情報は、制御部の判定結果に関する情報の一例に該当する。
【００７７】
制御部２０は、取得した距離情報に基づいて、ユーザの姿勢を判定してもよい。例えば、電子メガネＧと外部端末５との距離Ｌ（図４Ｃ参照）が所定値以下の場合に、制御部２０は、ユーザの姿勢が悪いと判定してよい。また、電子メガネＧと外部端末５との距離Ｌが所定値より大きい場合に、制御部２０は、ユーザの姿勢が良いと判定してよい。制御部２０は、ユーザの姿勢が悪い（適切でない）場合に、使用状態改善情報を外部端末５に送信するように、通信部１４を制御してよい。使用状態改善情報は、制御部の判定結果に関する情報の一例に該当する。
【００７８】
制御部２０は、取得した角度情報及び／又は取得した距離情報を、記憶部１９に順次記憶させてよい。制御部２０は、現在の角度情報及び／又は現在の距離情報と、記憶部１９に記憶された過去の角度情報及び／又は距離情報に基づいて、ユーザの姿勢の継続時間を算出してよい。
【００７９】
制御部２０は、ユーザの姿勢が悪い状態が、所定時間以上続いているか否かを判定してもよい。制御部２０は、ユーザの姿勢が悪い状態が、所定時間以上続いている場合に、使用状態改善情報を外部端末５に送信するように、通信部１４を制御してよい。使用状態改善情報は、外部端末５において使用状態改善処理を実施させるための情報である。使用状態改善情報は、判定結果に関する情報の一例に該当する。
【００８０】
制御部２０は、ユーザの姿勢が悪い状態が、所定時間以上続いた場合に、疲労通知情報を外部端末５に送信するように、通信部１４を制御してよい。疲労通知情報は、外部端末５において疲労改善処理を実施させるための情報である。
【００８１】
以上のような制御部２０により具現される機能は、集積回路により実現されてもよいし、制御部２０が、記憶部１９に記憶されたプログラムを読み出して実施することにより実現されてもよい。
【００８２】
例えば、制御部２０として機能するＣＰＵは、上述の各機能を実行するためのプログラムを、記憶部１９として機能するＲＯＭから読み出してＲＡＭに展開し、展開したプログラムを実行して、上述の各機能部の動作を制御してよい。電子メガネＧのハードウェア構成は、後述の外部端末５のハードウェア構成とほぼ同じであってよい。このため、電子メガネＧのハードウェア構成は、後述の外部端末５のハードウェア構成の説明を適宜援用してよい。
【００８３】
なお、図示は省略するが、電子メガネＧは、ユーザの心拍や血流などの身体情報を取得する検出部を、電子メガネＧがユーザの身体の一部に接する鼻パッドやテンプル、耳当て部に有してもよい。
【００８４】
＜サーバへのデータ送信のタイミング＞
以下、電子メガネＧが、電子メガネＧの使用状況に関する情報を、サーバ７に送信する送信方法について説明する。
【００８５】
第一の送信方法は、電子メガネＧにおいて、使用状況に関する情報（角度情報、距離情報、照度情報、及び、動作情報など）が検出されるたびに、電子メガネＧが、検出された使用状況に関する情報をサーバ７に送信する方法である。
【００８６】
第二の送信方法は、電子メガネＧが、所定のタイミングで、記憶部１９に記憶されている使用状況に関する情報をサーバ７に送信する方法である。所定のタイミングは、例えば、電子メガネＧがＯＮ状態からＯＦＦ状態に切り替わったタイミング、電子メガネＧがＯＦＦ状態からＯＮ状態に切り替わったタイミング、又は、電子メガネＧが一定時間使用されていない状態（例えば、電子メガネＧの使用状況に関する情報である角度情報や照度情報、動作情報などが一定時間変化していない状態）が続いたタイミングであってよい。
【００８７】
第三の送信方法は、外部端末５を介して、使用状況に関する情報をサーバ７に送る方法である。電子メガネＧは、所定のタイミングで使用状況に関する情報を外部端末５に送信してよい。外部端末５は、受信した使用状況に関する情報を、所定のタイミングでサーバ７に送信してよい。
【００８８】
外部端末５は、使用状況に関する情報を電子メガネＧから受信するたびに、使用状況に関する情報をサーバ７に送信してもよい。あるいは、外部端末５は、受信した使用状況に関する情報を記憶部５８に記憶し、記憶部５８に記憶された使用状況に関する情報を、所定のタイミングでサーバ７に送信してよい。
【００８９】
第四の送信方法は、サーバ７と通信する機能及び電子メガネＧに電源を供給する機能を有する充電器（不図示）を介して、使用状況に関する情報をサーバ７に送信する方法である。第四の送信方法の場合、電子メガネＧの使用状況に関する情報は、充電器により電子メガネＧを充電する際、充電器の通信部を介して、サーバ７に送信されてよい。この場合、使用状況に関する情報は、充電池を含むユニット（不図示）に含まれる記憶部に蓄積されていてもよい。
【００９０】
＜外部端末＞
図５に示すように、外部端末５は、通信部５１、入力部５２、表示部５３、撮像部５４、状態取得部５５、距離検出部５６、画像認識部５７、記憶部５８、及び、制御部５９などを有する。
【００９１】
外部端末５は、スマートフォン、タブレット端末、デスクトップ型コンピュータ、及び、ラップトップ型コンピュータなどである。
【００９２】
＜通信部＞
通信部５１は、電子メガネＧと無線通信により通信する。また、通信部５１は、ネットワークＮを介してサーバ７と通信してもよい。そのため、通信部５１は、例えば、情報の送信部及び受信部（不図示）を備えてよい。通信部５１による電子メガネＧとの通信は、例えば、制御部５９によって制御されてよい。
【００９３】
＜通信部が送信する情報について＞
通信部５１は、情報を電子メガネＧに送信する。具体的には、通信部５１は、端末状態情報、メガネ状態情報、及び、ユーザ状態情報のうちの少なくとも一つの情報を、電子メガネＧに送信してよい。なお、端末状態情報、メガネ状態情報、及び、ユーザ状態情報は、第一情報の一例に該当する。
【００９４】
ユーザ状態情報は、例えば、撮像部５４によって撮像された撮像画像情報を含んでよい。また、ユーザ状態情報は、距離検出部５６の検出値（距離情報）を含んでよい。
【００９５】
通信部５１は、情報をサーバ７に送信してもよい。具体的には、通信部５１は、端末状態情報、メガネ状態情報、及び、ユーザ状態情報のうちの少なくとも一つの情報を、サーバ７に送信してよい。
【００９６】
＜通信部が受信する情報について＞
通信部５１は、電子メガネＧから、既述の時間超過情報を受信してよい。通信部５１は、受信した時間超過情報を、制御部５９に送ってよい。
【００９７】
通信部５１は、電子メガネＧから、既述の使用状態改善情報を受信してよい。通信部５１は、受信した使用状態改善情報を、制御部５９に送ってよい。
【００９８】
通信部５１は、電子メガネＧから、既述の疲労通知情報を受信してよい。通信部５１は、受信した疲労通知情報を、制御部５９に送ってよい。
【００９９】
＜入力部＞
入力部５２は、情報の入力を受け付ける。例えば、ユーザからの入力情報が、入力部５２によって受け付けられて制御部５９に入力される。
【０１００】
＜表示部＞
表示部５３は、情報を表示する。表示部５３に表示される情報は、例えば、記憶部５８に記憶された情報でもよいし、制御部５９によって生成された情報でもよい。
【０１０１】
入力部５２と表示部５３とは、個別のデバイスによって構成されてもよいし、例えば、タッチパネルディスプレイのように、情報の入力と出力（表示）とを並行して行えるデバイスに一体化されてもよい。
【０１０２】
＜撮像部＞
撮像部５４は、例えば、外部端末５に搭載されたカメラモジュールである。撮像部５４は、撮像画像情報を、制御部５９に送る。例えば、撮像部５４は、制御部５９の制御下で、外部端末５のユーザの顔を撮像する。
【０１０３】
撮像部５４は、撮像画像情報を、制御部５９に送る。撮像画像情報には、ユーザの顔画像に関する情報（以下、「顔画像情報」と称する。）、及び／又は、ユーザが装着する電子メガネＧの画像に関する情報（以下、「メガネ画像情報」と称する。）が含まれてよい。メガネ画像情報は、グラスＩＤとして利用してもよい。顔画像情報は、ユーザ状態情報の一例に該当する。また、メガネ画像情報は、メガネ状態情報の一例に該当する。
【０１０４】
＜状態取得部＞
状態取得部５５は、制御部５９の制御下で、外部端末５の状態を示す情報（端末状態情報）を取得する。端末状態情報は、既述の通りである。状態取得部５５は、取得した端末状態情報を、制御部５９に送る。
【０１０５】
＜距離検出部＞
距離検出部５６は、取得した撮像画像情報に基づいて、外部端末５と、外部端末５に対向する物体（ユーザの顔、又は、電子メガネＧなど）との距離を検出する。距離検出部５６は、検出値（距離情報）を制御部５９に送る。なお、距離検出部５６が実施する距離の検出方法は、公知の方法であってよい。距離検出部５６が検出する距離情報は、ユーザ情報の一例に該当する。
【０１０６】
＜画像認識部＞
画像認識部５７は、取得した撮像画像情報に基づいて、外部端末５を使用するユーザの認証を行う。画像認識部５７は、取得した撮像画像情報に含まれるユーザの顔画像情報に基づいて、ユーザの認証を行ってよい。また、画像認識部５７は、取得した撮像画像情報に含まれるメガネ画像情報に基づいて、ユーザの認証を行ってもよい。
【０１０７】
ユーザの認証は、例えば、記憶部５８に登録された顔画像情報（以下、「登録顔画像情報」と称する。）と、取得した撮像画像情報に含まれる顔画像情報とを比較することにより行われてよい。また、ユーザの認証は、記憶部５８に登録されたメガネ画像情報（以下、「登録メガネ画像情報」と称する。）と、取得した撮像画像情報に含まれるメガネ画像情報とを比較することにより行われてよい。なお、電子メガネＧの画像は、グラスＩＤとして使用されてもよい。
【０１０８】
画像認識部５７は、ユーザ及び／又は電子メガネが認証された場合、認証されたことを示す情報（以下、「認証情報」と称する。）を制御部５９に送る。
【０１０９】
＜記憶部＞
記憶部５８は、登録顔画像情報及び／又は登録メガネ画像情報などを記憶する。記憶部５８は、登録顔画像情報及び登録メガネ画像情報を、ユーザ情報（ユーザＩＤなど）に対応付けて記憶してよい。
【０１１０】
＜制御部＞
制御部５９は、例えば、上述した外部端末５のエレメント５１〜５８それぞれの動作を制御する。
【０１１１】
制御部５９は、情報を電子メガネＧに送信するように、通信部５１を制御する。例えば、制御部５９は、画像認識部５７から認証情報を取得した場合、情報を電子メガネＧに送信するように、通信部５１を制御してもよい。なお、通信部５１が電子メガネＧに送信する情報は、端末状態情報、ユーザ状態情報、及び、メガネ状態情報のうちの少なくとも一つの情報を含んでよい。
【０１１２】
制御部５９は、表示部５３に表示させる情報に応じた表示制御信号を表示部５３に与えることによって、表示部５３の表示状態を制御する。制御部５９は、表示制御部の一例にも該当する。
【０１１３】
具体的には、制御部５９は、状態取得部５５から外部端末５の使用開始を示す情報を取得した場合、電子メガネＧをＯＮ状態にするか否かを選択させる画像を、表示部５３に表示させてよい。
【０１１４】
ユーザは、電子メガネＧをＯＮ状態にするか否かを選択し、選択結果を入力部５２に入力する。ユーザからの入力情報は、入力部５２に受け付けられて、制御部５９に送られる。以下、電子メガネＧをＯＮ状態にすることを示す入力を、ＯＮ入力と称する。
【０１１５】
制御部５９は、入力部５２からＯＮ入力を取得した場合に、端末状態情報（外部端末５の使用開始を示す情報）を電子メガネＧに送信するように、通信部５１を制御する。
【０１１６】
また、制御部５９は、状態取得部５５が外部端末５の使用終了を示す情報を取得した場合に、電子メガネＧをＯＦＦ状態にするか否かを選択させる画像を、表示部５３に表示させてよい。
【０１１７】
ユーザは、電子メガネＧをＯＦＦ状態にするか否かを選択し、選択結果を入力部５２に入力する。ユーザからの入力情報は、入力部５２に受け付けられて、制御部５９に送られる。以下、電子メガネＧをＯＦＦ状態にすることを示す入力を、ＯＦＦ入力と称する。
【０１１８】
制御部５９は、入力部５２からＯＦＦ入力を取得した場合に、端末状態情報（外部端末５の使用終了を示す情報）を電子メガネＧに送信するように、通信部５１を制御する。
【０１１９】
制御部５９は、時間超過情報を取得した場合、超過予防処理を実施してよい。超過予防処理は、例えば、表示部５３に通知情報を表示させる処理である。通知情報は、外部端末５を使い過ぎていることを示す情報を含んでよい。通知情報は、アラート情報の一例に該当する。
【０１２０】
また、超過予防処理は、外部端末５をスリープ状態に切り替える処理を含んでよい。なお、制御部５９は、表示部５３に通知情報を表示してから所定時間が経過した後、外部端末５をスリープ状態に切り替えてもよい。
【０１２１】
制御部５９は、スリープ状態に切り換える前に、スリープ状態への切り替えを延長するか否かを選択させる画像を、表示部５３に表示させてよい。ユーザは、延長するか否かを選択し、選択結果を入力部５２に入力する。ユーザからの入力情報は、入力部５２に受け付けられて、制御部５９に送られる。なお、延長することを示す入力を、延長入力と称する。
【０１２２】
制御部５９は、入力部５２から延長入力を取得した場合に、端末状態情報の送信を延長するように、通信部５１を制御する。端末状態情報の送信を延長する時間（以下、「延長時間」と称する。）は適宜設定されてよい。延長時間は、例えば、５分であってよい。延長選択画像の表示は、延長時間に対応する間隔で、複数回（例えば、２回）行われてもよい。
【０１２３】
また、制御部５９は、時間超過情報を取得した場合、又は、疲労通知情報を取得した場合に、疲労改善処理を実施してよい。疲労改善処理は、例えば、リフレッシュ画像（例えば、ユーザに運動を促す画像）を表示部５３に表示させる処理である。ユーザに運動を促す画像は、例えば、カーソルが左右に動く画像であってよい。ユーザは、左右に動くカーソルを眼で追うことによって、眼の運動を行うことができる。リフレッシュ画像は、眼を運動させる画像や眼を休ませる画像などを含んでよい。
【０１２４】
制御部５９は、運動を促す画像を、表示部５３に表示させる前に、リフレッシュ画像の表示を延長するか否かを選択させる画像を、表示部５３に表示させてよい。ユーザは、延長するか否かを選択し、選択結果を入力部５２に入力する。ユーザからの入力情報は、入力部５２に受け付けられて、制御部５９に送られる。
【０１２５】
制御部５９は、延長入力を取得した場合に、リフレッシュ画像の表示を延長するように、表示部５３を制御する。
【０１２６】
制御部５９は、使用状態改善情報を取得した場合、使用状態改善処理を実施する。使用状態改善処理は、例えば、表示部５３に通知情報を表示させる処理である。この通知情報は、ユーザの姿勢が悪いことを示す情報を含んでよい。また、この通知情報は、姿勢の改善手段に関する情報を含んでよい。姿勢の改善手段に関する情報は、例えば、「もう少し頭を上げてください。」や「顔を外部端末から離してください。」などのメッセージであってよい。通知情報は、アラート情報の一例に該当する。
【０１２７】
また、制御部５９は、距離検出部５６から距離情報を取得した場合に、取得した距離情報を電子メガネＧに送信するように、通信部５１を制御する。
【０１２８】
また、制御部５９は、距離検出部５６から取得した距離情報に基づいて、ユーザの姿勢を判定してもよい。例えば、電子メガネＧと外部端末５との距離Ｌ（図４Ｃ参照）が所定値以下の場合に、制御部５９は、ユーザの姿勢が悪いと判定してよい。また、電子メガネＧと外部端末５との距離Ｌが所定値より大きい場合に、制御部２０は、ユーザの姿勢が良いと判定してよい。制御部５９は、ユーザの姿勢が悪い場合、既述の使用状態改善処理を実施してよい。
【０１２９】
制御部５９は、記憶部５８に記憶された長期的な距離情報に基づいて、電子メガネＧのユーザの視力が低下しているか否かを判定してよい。例えば、ユーザの視力が徐々に悪くなっている場合、記憶部５８に記憶された距離情報が徐々に小さくなっている場合がある。その場合は、制御部５９は、ユーザの視力が低下していると判定する。
【０１３０】
制御部５９は、ユーザの視力が悪くなっていると判定した場合、視力の低下をユーザに通知するための通知情報（以下、「視力低下通知情報」と称する。）を、表示部５３に表示させてよい。また、制御部５９は、視力低下通知情報を表示部５３に表示させた後、視力を測定するための表（以下、「視力測定画像」と称する。）を、表示部５３に表示させてもよい。
【０１３１】
制御部５９は、ユーザの視力が悪くなっていると判定した場合、ユーザの視力に応じたサイズの文字を、表示部５３に表示させてもよい。
【０１３２】
＜外部端末のハードウェア構成＞
図６に示すように、外部端末５は、ハードウェア構成に着目した場合、例えば、プロセッサ１００１、入力装置１００２、出力装置１００３、メモリ１００４、ストレージ１００５、及び、撮像装置１００６を備えてよい。また、外部端末５は、通信インタフェース（ＩＦ）１００７、センサ１００８、及び、電源回路１００９を備えてよい。これらのエレメント１００１〜１００９は、例えば、バス１０１０によって接続されてよい。
【０１３３】
プロセッサ１００１は、外部端末５の動作を制御する。プロセッサ１００１は、演算能力を備えた回路又はデバイスの一例である。プロセッサ１００１には、例えば、ＣＰＵ（central processing unit）、ＭＰＵ（micro processing unit）、及び、ＧＰＵ（graphics processing unit）の少なくとも１つが用いられてよい。
【０１３４】
入力装置１００２は、図５に示した入力部５２を含んでよい。入力装置１００２は、外部端末５に対する情報の入力に用いられるデバイス、例えば、キーボード、タッチパネル、及び、マウスの少なくとも１つを含んでよい。入力装置１００２を通じて、プロセッサ１００１に情報が入力されてよい。
【０１３５】
出力装置１００３は、図５に示した表示部５３を含んでよい。具体的には、出力装置１００３は、表示部５３に相当するディスプレイ（又は、モニタ）を含んでよい。ディスプレイは、タッチパネル式のディスプレイであってよい。タッチパネル式のディスプレイは、入力装置１００２及び出力装置１００３の双方に該当すると捉えてよい。
【０１３６】
メモリ１００４は、例えば、プロセッサ１００１によって実施されるプログラム、及び、プログラムの実施に応じて処理されるデータ又は情報を記憶する。メモリ１００４には、ＲＡＭ（random access memory）及びＲＯＭ（read only memory）が含まれてよい。ＲＡＭは、プロセッサ１００１のワークメモリに用いられてよい。「プログラム」は、「ソフトウェア」あるいは「アプリケーション」と称されてもよい。
【０１３７】
ストレージ１００５は、プロセッサ１００１によって実施されるプログラム、及び、プログラムの実施に応じて処理されるデータ又は情報を記憶する。
【０１３８】
ストレージ１００５は、ハードディスクドライブ（ＨＤＤ）、又は、ソリッドステートドライブ（ＳＳＤ）といった半導体ドライブ装置を含んでよい。半導体ドライブ装置の追加で又は代替で、フラッシュメモリのような不揮発性メモリが、ストレージ１００５に含まれてもよい。メモリ１００４及びストレージ１００５が、記憶部５８に該当すると捉えてよい。
【０１３９】
プログラムには、後述の電子メガネＧの自動起動制御を実施するためのプログラムが含まれてよい。プログラムを成すプログラムコードの全部又は一部は、メモリ１００４及び／又はストレージ１００５に記憶されてもよいし、オペレーティングシステム（ＯＳ）の一部に組み込まれてよい。
【０１４０】
プログラム及び／又はデータは、プロセッサ１００１による読み取りが可能な記録媒体に記録された形態で提供されてよい。記録媒体の一例としては、フレキシブルディスク、ＣＤ−ＲＯＭ、ＣＤ−Ｒ、ＣＤ−ＲＷ、ＭＯ、ＤＶＤ、ブルーレイディスク、及び、ポータブルハードディスクが上げられる。また、ＵＳＢ（universal serial bus）メモリなどの半導体メモリも記録媒体の一例である。
【０１４１】
また、プログラム及び／又は情報は、アプリケーションサーバ（不図示）からネットワークＮなどを介して外部端末５に提供（ダウンロード）されてもよい。通信ＩＦ１００７を通じてプログラム及び／又は情報が外部端末５に提供されて、メモリ１００４及び／又はストレージ１００５に記憶されてよい。また、プログラム及び／又はデータは、入力装置１００２を通じて外部端末５に提供されて、メモリ１００４及び／又はストレージ１００５に記憶されてもよい。
【０１４２】
通信ＩＦ１００７は、通信部５１に該当し、電子メガネＧ及びサーバ７と通信するためのインタフェースである。通信ＩＦ１００７は、無線通信のための無線インタフェースを備えてよい。また、通信ＩＦ１００７は、有線通信のための有線インタフェースを備えてもよい。
【０１４３】
プロセッサ１００１が、記憶部５８に記憶されたプログラムを読み出して実施することにより、外部端末５は、後述の電子メガネＧの自動起動制御における外部端末５側の機能を実現する。プロセッサ１００１がプログラムを実施することによって、既述の制御部５９の各機能が具現される。
【０１４４】
撮像装置１００６は、例えば、外部端末５に搭載されたカメラモジュールである。撮像装置１００６は、撮像部５４に該当すると捉えてよい。
【０１４５】
センサ１００８は、距離検出部５６に該当すると捉えてよい。
【０１４６】
電源回路１００９は、既述の各エレメント１００１〜１００８が動作するための電力を各エレメント１００１〜１００８のそれぞれに供給する。
【０１４７】
＜サーバ＞
サーバ７は、図７に示すように、通信部７１、記憶部７２、及び、制御部７３などを有する。なお、サーバのハードウェア構成については、既述の外部端末５のハードウェア構成とほぼ同様である。
【０１４８】
＜通信部＞
通信部７１は、電子メガネＧ及び／又は外部端末５と、ネットワークＮ（例えば、インターネット）を介して通信する。通信部７１と、電子メガネＧ及び／又は外部端末５との通信は、有線通信であってもよいし、一部に無線通信を介してもよい。そのため、通信部７１は、情報の送信部及び受信部（図示省略）などを備えてよい。電子メガネＧ及び／又は外部端末５との通信は、制御部７３によって制御されてよい。
【０１４９】
通信部７１は、電子メガネＧから、使用状況に関する情報を受信する。使用状況に関する情報は、既述の通りである。通信部７１は、受信した使用状況に関する情報を、制御部７３に送る。
【０１５０】
＜記憶部＞
記憶部７２は、取得した使用状況に関する情報を記憶する。記憶部７２は、例えば、使用状況に関する情報に含まれる各情報を、互いに対応付けて記憶してよい。
【０１５１】
記憶部７２は、使用状況に関する情報を、ユーザ毎（例えば、ユーザＩＤ毎）に記憶してよい。また、記憶部７２は、受信情報を、電子メガネＧ毎（例えば、グラスＩＤ毎）に記憶してよい。
【０１５２】
記憶部７２は、外部端末５から取得した端末状態情報、メガネ状態情報、及び、ユーザ状態情報のうちの少なくとも一つの情報を記憶してよい。
【０１５３】
＜電子メガネの通常動作＞
つぎに、電子メガネＧの通常動作の一例について説明する。まず、電子メガネＧのＯＦＦ状態について説明する。電子メガネＧのＯＦＦ状態では、レンズ１１の第一領域１１ａにおいて、液晶モジュール１１１ｃの屈折率と、第一基板１１０及び第二基板１１２の屈折率とが、ほぼ同じとなる。このため、特性変化部１１１において、液晶モジュール１１１ｃに起因するレンズ効果は生じない。したがって、レンズ１１において、第一領域１１ａの度数と、第二領域１１ｂの度数とは、互いにほぼ同じとなる。
【０１５４】
電子メガネＧのＯＦＦ状態において、使用者の指が操作入力部１２に接触すると、当該接触に基づく静電容量の変化が、操作入力部１２の検出パッドによって検出される。この接触に基づく検出情報は、制御部２０に送信される。制御部２０は、電子メガネＧのＯＦＦ状態において、取得した操作入力部１２の検出情報に基づいて、特性変化部１１１に電圧を印加する。
【０１５５】
これにより、特性変化部１１１の液晶モジュール１１１ｃにおける液晶材料の配向が変化して、液晶モジュール１１１ｃの屈折率が変化する（ＯＮ状態となる）。
【０１５６】
電子メガネＧのＯＮ状態では、液晶モジュール１１１ｃの屈折率と、第一基板１１０及び第二基板１１２の屈折率とが、互いに異なる。このため、第一領域１１ａにおいて、液晶モジュール１１１ｃに起因するレンズ効果が生じる。この結果、第一領域１１ａの度数が変化する。
【０１５７】
電子メガネＧのＯＮ状態において、操作入力部１２が使用者の指の接触を検出すると、制御部２０は、特性変化部１１１への電圧の印加を停止する。これにより、液晶モジュール１１１ｃにおける液晶材料の配向が、電圧印可前の状態に戻って、特性変化部１１１がＯＮ状態からＯＦＦ状態に切り替わる。
【０１５８】
以上のように、本実施形態に係る電子メガネＧでは、ユーザの指の接触を検知して、レンズ１１の第一領域１１ａの度数を切替えることができる。
【０１５９】
＜電子メガネの自動起動制御＞
つぎに、図８を参照して、電子メガネＧの自動起動制御について説明する。図８は、電子メガネＧの自動起動制御のフローチャートである。電子メガネＧの自動起動制御は、電子メガネＧに無線接続された外部端末５の使用が開始された場合に、外部端末５に連動して、電子メガネＧをＯＮ状態にするための制御である。
【０１６０】
このような自動起動制御は、外部端末５において実施される処理と、電子メガネＧにおいて実施される処理とにより構成されている。自動起動制御は、電子メガネＧと外部端末５とを備える、電子メガネの駆動制御システムにより実施される制御と捉えてもよい。
【０１６１】
まず、図８のステップＳ１０１において、外部端末５の状態取得部５５は、外部端末５の端末状態情報を取得する。そして、状態取得部５５は、検出した端末状態情報を、制御部５９に送る。
【０１６２】
つぎに、図８のステップＳ１０２において、外部端末５の制御部５９は、取得した端末状態情報が、外部端末５の使用開始を示す情報であるか否かを判定する。ステップＳ１０２において、端末状態情報が、外部端末５が使用開始を示す情報ではない場合（ステップＳ１０２で“ＮＯ”）、制御処理は、ステップＳ１０１に遷移する。一方、ステップＳ１０２において、端末状態情報が、外部端末５の使用開始を示す情報である場合（ステップＳ１０２で“ＹＥＳ”）、制御処理は、ステップＳ１０３に遷移する。
【０１６３】
図８のステップＳ１０３において、外部端末５の制御部５９は、端末状態情報（外部端末５の使用開始を示す情報）を電子メガネＧに送信するように、通信部５１を制御する。通信部５１は、図８のステップＳ１０３において、端末状態情報（外部端末５の使用開始を示す情報）を電子メガネＧに送信する。以上の、ステップＳ１０１〜ステップＳ１０３の制御処理は、外部端末５において実施される。
【０１６４】
つぎに、図８のステップＳ１０４において、電子メガネＧの通信部１４は、外部端末５から端末状態情報を受信する。そして、通信部１４は、端末状態情報を、制御部２０に送る。
【０１６５】
つぎに、図８のステップＳ１０５において、制御部２０は、電子メガネＧがＯＦＦ状態であるか否かを判定する。ステップＳ１０５において、電子メガネＧがＯＦＦ状態ではない場合（つまり、ＯＮ状態の場合）、制御処理は終了する。一方、ステップＳ１０５において、電子メガネＧがＯＦＦ状態の場合、制御処理はステップＳ１０６に遷移する。
【０１６６】
つぎに、図８のステップＳ１０６において、制御部２０は、電子メガネＧをＯＮ状態とする。
【０１６７】
＜電子メガネの自動停止制御＞
つぎに、図９を参照して、電子メガネＧの自動停止制御について説明する。図９は、電子メガネＧの自動停止制御のフローチャートである。電子メガネＧの自動停止制御は、電子メガネＧに無線接続された外部端末５の使用が終了された場合に、外部端末５に連動して、電子メガネＧをＯＦＦ状態にするための制御である。
【０１６８】
このような自動停止制御は、外部端末５において実施される処理と、電子メガネＧにおいて実施される処理とにより構成されている。自動停止制御は、電子メガネＧと外部端末５とを備える、電子メガネの駆動制御システムにより実施される制御と捉えてもよい。
【０１６９】
まず、図９のステップＳ２０１において、外部端末５の状態取得部５５は、外部端末５の端末状態情報を取得する。そして、状態取得部５５は、検出した端末状態情報を、制御部５９に送る。
【０１７０】
つぎに、図９のステップＳ２０２において、外部端末５の制御部５９は、取得した端末状態情報が、外部端末５の使用終了を示す情報であるか否かを判定する。ステップＳ２０２において、端末状態情報が、外部端末５が使用終了を示す情報ではない場合（ステップＳ２０２で“ＮＯ”）、制御処理は、ステップＳ２０１に遷移する。一方、ステップＳ２０２において、端末状態情報が、外部端末５の使用終了を示す情報である場合（ステップＳ２０２で“ＹＥＳ”）、制御処理は、ステップＳ２０３に遷移する。
【０１７１】
図９のステップＳ２０３において、外部端末５の制御部５９は、端末状態情報（外部端末５の使用終了を示す情報）を電子メガネＧに送信するように、通信部５１を制御する。通信部５１は、図９のステップＳ２０３において、端末状態情報（外部端末５の使用終了を示す情報）を電子メガネＧに送信する。以上の、ステップＳ２０１〜ステップＳ２０３の制御処理は、外部端末５において実施される。
【０１７２】
つぎに、図９のステップＳ２０４において、電子メガネＧの通信部１４は、外部端末５から端末状態情報を受信する。そして、通信部１４は、端末状態情報を、制御部２０に送る。
【０１７３】
つぎに、図９のステップＳ２０５において、制御部２０は、電子メガネＧがＯＮ状態であるか否かを判定する。ステップＳ２０５において、電子メガネＧがＯＮ状態ではない場合（つまり、ＯＦＦ状態の場合）、制御処理は終了する。一方、ステップＳ２０５において、電子メガネＧがＯＮ状態の場合、制御処理はステップＳ２０６に遷移する。
【０１７４】
つぎに、図９のステップＳ２０６において、制御部２０は、電子メガネＧをＯＦＦ状態とする。なお、上述の自動起動制御と自動停止制御とは、平行して実施されてよい。あるいは、自動停止制御は、自動起動制御により電子メガネＧがＯＮ状態になった場合に実施されてもよい。この場合には、図９のステップＳ２０５の処理は省略されてもよい。
【０１７５】
＜電子メガネにおける使用時間の超過予防制御＞
つぎに、図１０を参照して、電子メガネＧにおける使用時間の超過予防制御について説明する。図１０は、使用時間の超過予防制御のフローチャートである。使用時間の超過予防制御は、上述の自動起動制御により電子メガネＧがＯＮ状態となったことを前提として、電子メガネＧのＯＮ状態の継続時間が所定時間以上となった場合に、電子メガネＧに無線接続された外部端末５に超過予防処理を実施させるための制御である。
【０１７６】
このような超過予防制御は、外部端末５において実施される処理と、電子メガネＧにおいて実施される処理とにより構成されている。超過予防制御は、電子メガネＧと外部端末５とを備える、電子メガネの駆動制御システムにより実施される制御と捉えてもよい。
【０１７７】
まず、図１０のステップＳ３０１において、電子メガネＧの制御部２０は、電子メガネＧのＯＮ状態の継続時間を取得する。
【０１７８】
つぎに、図１０のステップＳ３０２において、電子メガネＧの制御部２０は、ＯＮ状態の継続時間が、所定時間以上であるか否かを判定する。ステップＳ３０２において、ＯＮ状態の継続時間が、所定時間未満と判定した場合には（ステップＳ３０２で“ＮＯ”）、制御処理はステップＳ３０１に遷移する。一方、ステップＳ３０２において、ＯＮ状態の継続時間が、所定時間以上と判定した場合には（ステップＳ３０２で“ＹＥＳ”）、制御処理はステップＳ３０３に遷移する。
【０１７９】
つぎに、図１０のステップＳ３０３において、電子メガネＧの制御部２０は、時間超過情報を外部端末５に送信するように、通信部１４を制御する。通信部１４は、ステップＳ３０３において、時間超過情報を、外部端末５に送信する。以上のステップＳ３０１〜Ｓ３０３の制御処理は、電子メガネＧにおいて実施される。
【０１８０】
つぎに、図１０のステップＳ３０４において、外部端末５の通信部５１は、時間超過情報を受信する。通信部５１は、受信した時間超過情報を、外部端末５の制御部５９に送る。
【０１８１】
つぎに、図１０のステップＳ３０５において、外部端末５の制御部５９は、超過予防処理を実施する。超過予防処理は、既述の通りである。以上の超過予防制御は、自動起動制御により電子メガネＧがＯＮ状態となった後に実施されると好ましい。超過予防制御は、所定の時間間隔で実施されてよい。
【０１８２】
＜電子メガネにおける使用状態改善制御＞
つぎに、図１１を参照して、電子メガネＧにおける使用状態改善制御について説明する。図１１は、使用状態改善制御において実施される処理を示すフローチャートである。使用状態改善制御は、電子メガネＧがＯＮ状態において、ユーザの姿勢が悪い場合に、電子メガネＧに無線接続された外部端末５に使用状態改善処理を実施させるための制御である。
【０１８３】
このような使用状態改善制御は、外部端末５において実施される処理と、電子メガネＧにおいて実施される処理とにより構成されている。使用状態改善制御は、電子メガネＧと外部端末５とを備える、電子メガネの駆動制御システムにより実施される制御と捉えてもよい。
【０１８４】
まず、図１１のステップＳ４０１において、電子メガネＧの制御部２０は、取得した角度情報、及び／又は、取得した距離情報などに基づいて、ユーザの姿勢が悪いか否かを判定する。ユーザの姿勢の判定方法は、既述の通りである。ステップＳ４０１において、ユーザの姿勢が悪くない場合には、制御処理は、ステップＳ４０１に遷移する。一方、ステップＳ４０１において、ユーザの姿勢が悪い場合には、制御処理は、ステップＳ４０２に遷移する。
【０１８５】
つぎに、図１１のステップＳ４０２において、電子メガネＧの制御部２０は、姿勢の継続時間が所定時間以上であるか否かを判定する。姿勢の継続時間の算出方法については、既述の通りである。ステップＳ４０２において、姿勢の継続時間が所定時間未満である場合、制御処理は、ステップＳ４０１に遷移する。一方、ステップＳ４０２において、姿勢の継続時間が所定時間以上である場合、制御処理は、ステップＳ４０３に遷移する。
【０１８６】
つぎに、図１１のステップＳ４０３において、電子メガネＧの制御部２０は、使用状態改善情報を、外部端末５に送信するように、通信部１４を制御する。ステップＳ４０３において、通信部１４は、使用状態改善情報を、外部端末５に送信する。使用状態改善情報は、既述の通りである。以上のステップＳ４０１〜Ｓ４０３の制御処理は、電子メガネＧにおいて実施される。
【０１８７】
つぎに、図１１のステップＳ４０４において、外部端末５の通信部５１は、使用状態改善情報を受信する。通信部５１は、受信した使用状態改善情報を、外部端末５の制御部５９に送る。
【０１８８】
つぎに、図１１のステップＳ４０５において、外部端末５の制御部５９は、使用状態改善処理を実施する。使用状態改善処理は、既述の通りである。以上の使用状態改善制御は、自動起動制御により電子メガネＧがＯＮ状態となった後に実施されると好ましい。使用状態改善制御は、所定の時間間隔で実施されてよい。
【０１８９】
＜作用・効果について＞
以上のような本実施形態によれば、電子メガネＧに無線接続された外部端末５の状態に連動して、電子メガネＧのＯＮ状態とＯＦＦ状態とを切り替えることができる。
【０１９０】
具体的には、例えば、ユーザが、電子メガネＧを装着した状態で、スマートフォンなどの外部端末の使用を開始した場合に、電子メガネＧは、ＯＦＦ状態からＯＮ状態に切り替わる。なお、外部端末の使用が開始された場合に、電子メガネＧをＯＮ状態にするか否かの選択画像を外部端末の表示部に表示させれば、ユーザにとって不要な状況で、電子メガネＧをＯＮ状態にしないようにすることが可能である。
【０１９１】
また、本実施形態の場合、ユーザは、上述の超過予防処理により、電子メガネＧのＯＮ状態の継続時間が長くなっていることを、外部端末５の表示により知ることができる。このような機能は、ユーザの眼の健康を保つことに効果的である。
【０１９２】
また、本実施形態の場合、ユーザは、上述の使用状態改善処理により、作業姿勢が悪いこと、外部端末５の表示により知ることができる。このような機能は、ユーザの眼に限らず、ユーザの体全体の健康を保つことに効果的である。
【０１９３】
［実施形態２］
以下、本発明の実施形態２に係るアイウェアの構成について説明する。本実施形態の説明において、記述の実施形態１の説明で使用した図を適宜参照する。本明細書において、実施形態２は、説明の便宜上、実施形態１とは別の実施形態として説明される。ただし、本実施形態に係るアイウェア及びプログラムは、実施形態１に係るアイウェア及びプログラムと適宜組み合わせて実施できる。
【０１９４】
本実施形態に係るアイウェアは、実施形態１と同様に、図１に示す電子メガネＧと同様の基本構成を有する。図１２は、電子メガネＧの内部回路及びシステム構成の一例を示すブロック図である。尚、本実施形態に係る電子メガネＧが備える構成は、実施形態１に係る電子メガネＧが備える構成と共通のハードウェアにより構成されていてもよいし、異なるハードウェアにより構成されていてもよい。
【０１９５】
＜電子メガネ＞
電子メガネＧは、フレーム１０、一対のレンズ１１、操作入力部１２Ａ、電源１３Ａ、通信部１４Ａ、角度検出部１５Ａ、距離検出部１６Ａ、照度検出部１７Ａ、動作検出部１８Ａ、記憶部１９Ａ、認識部２２Ａ、取得部２３Ａ、及び、制御部２０Ａなどを有する。なお、以下の説明では、フロント１０ａが配置される部分を電子メガネＧの正面（前方）として説明する。
【０１９６】
電子メガネＧのユーザ（装着者）は、フレーム１０に設けられた操作入力部１２Ａを操作（例えば、タッチ操作）することにより、レンズ１１の第一領域１１ａにおける特性変化部１１１（図３参照）の光学特性（度数又は光の透過率など）を切り替える。特性変化部１１１は、光学特性変化部の一例に該当する。
【０１９７】
ユーザにより操作入力部１２Ａが操作されると、制御部２０Ａは、当該操作に基づいて、特性変化部１１１に電圧を印可した状態（以下、「ＯＮ状態」と称する。）と、電圧を印可しない状態（以下、「ＯＦＦ状態」と称する。）とを切り替える。特性変化部１１１のＯＮ状態は、電子メガネＧのＯＮ状態でもある。また、特性変化部１１１のＯＦＦ状態は、電子メガネＧのＯＦＦ状態でもある。
【０１９８】
本実施形態の電子メガネＧは、実施形態１に係る電子メガネＧと同様に、図３に示す一対のレンズ１１の構成を有する。このため、レンズ１１の説明は省略する。また、本実施形態の電子メガネＧは、実施形態１に係る電子メガネＧと同様に、図１に示すフロント１０ａ及び一対のテンプル１０ｂ、１０ｃの構成を有する。このため、フロント１０ａ及びテンプル１０ｂ、１０ｃの説明は省略する。
【０１９９】
＜操作入力部＞
操作入力部１２Ａは、筐体１０ｇに保持されている。操作入力部１２Ａは、例えば、静電容量方式の検出パッドを有する。検出パッドは、タッチセンサとして使用されうる公知の検出パッドであってよい。操作入力部１２Ａは、ユーザの指が操作入力部１２Ａに接触したときに、当該接触によって生じる静電容量の変化を検出してよい。なお、操作入力部１２Ａは、実施形態１の操作入力部１２と共通の操作入力部であってよい。
【０２００】
＜操作入力の例＞
操作入力部１２Ａは、例えば、ユーザの操作入力部１２Ａに対する操作入力（タッチ操作）を受け付ける。操作入力部１２Ａは、複数種類の操作入力を受け付ける。後述の制御部２０Ａは、操作入力部１２Ａが受け付けた操作入力に対応する制御を行う。以下、操作入力の一例について説明する。
【０２０１】
第一操作入力は、特性変化部１１１をＯＦＦ状態からＯＮ状態に切り替えるための入力である。操作入力部１２Ａは、特性変化部１１１のＯＦＦ状態において、第一操作入力を受け付けてよい。
【０２０２】
第二操作入力は、特性変化部１１１をＯＮ状態からＯＦＦ状態に切り替えるための入力である。操作入力部１２Ａは、特性変化部１１１のＯＮ状態において、第二操作入力を受け付けてよい。
【０２０３】
第三操作入力は、電子メガネＧのモードを切り換えるための入力である。操作入力部１２Ａは、特性変化部１１１のＯＮ状態及びＯＦＦ状態において、第三操作入力を受け付けてよい。
【０２０４】
具体的には、第三操作入力は、電子メガネＧのモードを、マニュアルモードとオートモードとの間で切り替えるための入力を含んでよい。また、第三操作入力は、電子メガネＧの学習モードのＯＮ状態とＯＦＦ状態とを切り替えるための入力を含んでよい。マニュアルモードは、第一モードの一例に該当する。オートモードは、第二モードの一例に該当する。
【０２０５】
第三操作入力のうち、電子メガネＧのモードをマニュアルモードからオートモードに切り替えるための入力を、オートモード実行入力と称する。操作入力部１２Ａは、電子メガネＧのモードがマニュアルモードの場合に、オートモード実行入力を受け付けてよい。
【０２０６】
第三操作入力のうち、電子メガネＧのモードをオートモードからマニュアルモードに切り替えるための入力を、マニュアルモード実行入力と称する。操作入力部１２Ａは、電子メガネＧのモードがオートモードの場合に、マニュアルモード実行入力を受け付けてよい。
【０２０７】
第三操作入力のうち、電子メガネＧの学習モードをＯＮ状態に切り替えるための操作を、学習モード実行入力と称する。操作入力部１２Ａは、電子メガネＧの学習モードがＯＦＦ状態の場合に、学習モード実行入力を受け付けてよい。
【０２０８】
また、第三操作入力のうち、電子メガネＧの学習モードをＯＦＦ状態に切り替えるための入力を、学習モード停止入力と称する。操作入力部１２Ａは、電子メガネＧの学習モードがＯＮ状態の場合に、学習モード停止入力を受け付けてよい。
【０２０９】
＜電源＞
電源１３Ａは、操作入力部１２Ａ、通信部１４Ａ、角度検出部１５Ａ、距離検出部１６Ａ、照度検出部１７Ａ、動作検出部１８Ａ、記憶部１９Ａ、認識部２２Ａ、取得部２３Ａ、及び、制御部２０Ａなどに電力を供給する。本実施形態では、電源１３Ａは、テンプル１０ｂ、１０ｃの他端部（後端部）に着脱可能に保持される充電式のバッテリーパックである。なお、電源１３Ａは、実施形態１の電源１３と共通の電源であってよい。
【０２１０】
＜通信部＞
通信部１４Ａは、後述の外部端末５Ａと無線通信により通信する。そのため、通信部１４Ａは、例えば、情報の送信部及び受信部（不図示）を備えてよい。通信部１４Ａによる外部端末５Ａとの通信は、例えば、制御部２０Ａによって制御されてよい。なお、通信部１４Ａは、実施形態１の通信部１４と共通の通信部であってよい。
【０２１１】
無線通信は、ＷｉＦｉ（登録商標）、Ｂｌｕｅｔｏｏｔｈ（登録商標）、無線ＬＡＮ、又は、ＮＦＣ（Near Field Communication）などであってよい。
【０２１２】
通信部１４Ａは、後述のサーバ７とネットワークＮを介して通信する機能を有してもよい。通信部１４Ａによるサーバ７との通信は、例えば、制御部２０Ａによって制御されてよい。
【０２１３】
通信部１４Ａは、外部端末５Ａから、外部端末５Ａを特定するための情報（以下、「媒体情報」と称する。）を受信する。電子メガネＧと無線接続されている外部端末５Ａから取得した媒体情報は、使用媒体情報と称される。媒体情報は、例えば、外部端末５Ａの端末ＩＤや製造番号など、外部端末５Ａを識別できる情報であってよい。通信部１４Ａは、受信した媒体情報を、取得部２３Ａに送ってよい。
【０２１４】
＜角度検出部＞
角度検出部１５Ａは、第二角度検出部の一例に該当し、例えば、電子メガネＧのテンプル１０ｂに設けられた角度センサである。角度検出部１５Ａは、テンプル１０ｃに設けられてもよい。なお、角度検出部１５Ａは、実施形態１の角度検出部１５と共通の角度検出部であってよい。つまり、第一角度検出部と第二角度検出部とは、共通の角度検出部であってよい。
【０２１５】
角度検出部１５Ａは、電子メガネＧの角度に関する情報を検出する。角度検出部１５Ａは、所定の時間間隔で、電子メガネＧの角度を検出してよい。角度検出部１５Ａは、例えば、水平方向（図４Ａ及び図４Ｂの直線Ｌ１参照）に対する電子メガネＧの前傾角度θを検出してよい。例えば、図４Ａに示すように、電子メガネＧのテンプル１０ｂが水平方向に平行な状態における前傾角度θを、基準状態における前傾角度と定めてよい。前傾角度θは、図４Ｂに示すように、電子メガネＧが基準状態から、前傾するほど大きくなる。
【０２１６】
角度θが０°の状態で、ユーザは、正面を向いていると判断される。また、角度θが大きくなるほど、ユーザの顔が下方を向いていると判断される。角度検出部１５Ａは、検出値（角度情報）を、制御部２０Ａに送ってよい。角度検出部１５Ａは、検出値（角度情報）を、記憶部１９Ａに送ってもよい。
【０２１７】
＜距離検出部＞
距離検出部１６Ａは、例えば、電子メガネＧのフロント１０ａに設けられた赤外線測距センサ、超音波測距センサ、又は、レーザ測距センサなどの測距センサである。距離検出部１６Ａは、電子メガネＧと、レンズ１１の光軸方向（以下、単に「光軸方向」と称する。）において電子メガネＧと対向する物体との距離Ｌ（図４Ｃ参照）を検出する。なお、距離検出部１６Ａは、実施形態１の距離検出部１６と共通の距離検出部であってよい。
【０２１８】
図４Ｃにおいて、情報媒体は、スマートフォン又はタブレット端末などの外部端末５Ａである。また、図４Ｄにおいて、情報媒体は、デスクトップ型パソコンなどの外部端末５Ａである。なお、情報媒体は、図４Ｃ及び図４Ｄに示すものに限定されない。例えば、情報媒体は、電子メガネＧと無線接続されないものであってもよい。具体的には、情報媒体は、テレビ、新聞、及び、本などであってもよい。
【０２１９】
例えば、距離検出部１６Ａは、電子メガネＧと、光軸方向において電子メガネＧと対向する情報媒体（具体的には、外部端末５Ａの表示部５３Ａ、又は、新聞の紙面など）との距離Ｌを検出する。距離検出部１６Ａは、検出値（距離情報）を制御部２０Ａに送ってよい。角度検出部１５Ａは、検出値（距離情報）を、記憶部１９Ａに送ってもよい。
【０２２０】
＜照度検出部＞
照度検出部１７Ａは、例えば、電子メガネＧのフロント１０ａに設けられた照度センサである。照度検出部１７Ａは、周囲の照度を検出する。照度検出部１７Ａは、検出値（照度情報）を制御部２０Ａに送ってよい。照度検出部１７Ａは、検出値（照度情報）を、記憶部１９Ａに送ってもよい。なお、照度検出部１７Ａは、実施形態１の照度検出部１７と共通の照度検出部であってよい。
【０２２１】
＜動作検出部＞
動作検出部１８Ａは、電子メガネＧが移動している（つまり、ユーザが移動している）ことを検出する。動作検出部１８Ａは、例えば、フレーム１０（フロント１０ａ又はテンプル１０ｂ、１０ｃ）に設けられた角速度センサである。動作検出部１８Ａは、検出値（動作情報）を、制御部２０Ａに送ってよい。動作検出部１８Ａは、検出値（動作情報）を、記憶部１９Ａに送ってもよい。なお、動作検出部１８Ａは、実施形態１の動作検出部１８と共通の動作検出部であってもよい。
【０２２２】
＜認識部＞
認識部２２Ａは、電子メガネＧのレンズ１１に対向する情報媒体を認識する。例えば、認識部２２Ａは、照度検出部１７Ａの検出値に基づいて、電子メガネＧのレンズ１１に対向する情報媒体を認識してよい。情報媒体が、スマートフォン又はパソコンなどの場合と、新聞又は本などの場合とで、情報媒体のユーザ側の面（例えば、表示部）の明るさが異なるため、照度検出部１７Ａの検出値も異なる。このため、認識部２２Ａは、照度検出部１７Ａの検出値に応じて、電子メガネＧのレンズ１１に対向する情報媒体の種類を認識できる。
【０２２３】
一例として、情報媒体がテレビの場合、認識部２２Ａは、照度検出部１７Ａの検出値、及び、距離検出部１６Ａの検出値に基づいて、情報媒体がテレビであることを認識してよい。具体的には、認識部２２Ａは、照度検出部１７Ａの検出値（例えば、情報媒体の表示部の明るさ）が所定値以上であり、距離検出部１６Ａの検出値（例えば、電子メガネＧと情報媒体の表示部との距離）が所定値以上である場合に、情報媒体がテレビであると認識してよい。
【０２２４】
その他、認識部２２Ａは、種々の方法により、電子メガネＧのレンズ１１に対向する情報媒体を認識してよい。認識部２２Ａは、認識した情報媒体に関する情報（使用媒体情報とも称する。）を取得部２３Ａに送ってよい。
【０２２５】
＜取得部＞
取得部２３Ａは、情報媒体に関する情報を取得する。具体的には、取得部２３Ａは、認識部２２Ａから情報媒体に関する情報を取得する。また、取得部２３Ａは、通信部１４Ａが外部端末５Ａから取得した情報媒体に関する情報（使用媒体情報）を取得してもよい。取得部２３Ａは、取得した情報媒体に関する情報を、制御部２０ＡにＦ送ってよい。
【０２２６】
＜記憶部＞
記憶部１９Ａは、図１５に示すように、媒体情報と、角度検出部１５Ａが検出した角度情報（第一角度情報）とを、対応付けて記憶してよい。記憶部１９Ａは、図１５に示すように、媒体情報と、第一角度情報とを、表形式の閾値テーブルとして記憶してよい。なお、記憶部１９Ａは、実施形態１の記憶部１９と共通の記憶部であってよい。
【０２２７】
第一角度情報は、マニュアルモードにおいて、電子メガネＧの状態が、ユーザの操作によりＯＦＦ状態からＯＮ状態へと切り替えられた場合の角度検出部１５Ａの検出値であってよい。
【０２２８】
記憶部１９Ａに記憶された第一角度情報は、外部端末５Ａ毎に記憶されてよい。第一角度情報は、特性変化発現条件とも称される。特性変化発現条件は、電子メガネＧのオートモードにおいて、電子メガネＧを自動的にＯＮ状態にする際の閾値（第一閾値）として使用されてよい。記憶部１９Ａは、第一角度情報を、ユーザに関する情報（例えば、ユーザＩＤ）と対応付けて記憶してよい。
【０２２９】
また、記憶部１９Ａは、図１５に示すように、記憶部１９Ａは、第二角度情報を媒体情報と対応付けて記憶してよい。第二角度情報は、特性変化停止条件とも称される。特性変化停止条件は、電子メガネＧのオートモードにおいて、電子メガネＧを自動的にＯＦＦ状態にする際の閾値（第二閾値）として使用されてよい。記憶部１９Ａは、第二角度情報を、ユーザに関する情報（例えば、ユーザＩＤ）と対応付けて記憶してよい。
【０２３０】
記憶部１９Ａは、取得した角度情報、距離情報、照度情報、及び、動作情報のうち少なくとも一つの情報（以下、「使用状況に関する情報」と称する。）を記憶してよい。記憶部１９Ａは、ユーザに関する情報（例えば、ユーザＩＤ）と対応付けて、使用状況に関する情報を記憶してもよい。また、記憶部１９Ａは、電子メガネＧに関する情報（例えば、グラスＩＤ）と対応付けて、使用状況に関する情報を記憶してよい。グラスＩＤは、電子メガネＧを識別するための情報である。
【０２３１】
記憶部１９Ａは、外部端末５Ａの使用開始時間、外部端末５Ａの使用終了時間、及び、外部端末５Ａの使用継続時間のうちの少なくとも一つの時間を記憶してよい。
【０２３２】
記憶部１９Ａは、マニュアルモードにおいて、電子メガネＧがＯＮ状態となった時刻、及び／又は、電子メガネＧがＯＦＦ状態となった時刻を記憶してよい。また、記憶部１９Ａは、電子メガネＧがＯＮ状態になってからの経過時間を記憶してもよい。
【０２３３】
記憶部１９Ａは、取得した使用状況に関する情報を、電子メガネＧがＯＮ状態となった時刻、及び／又は、ＯＮ状態になってからの経過時間と対応付けて記憶してよい。
【０２３４】
記憶部１９Ａは、マニュアルモードにおいて、電子メガネＧのＯＮ状態の継続時間を記憶してよい。また、記憶部１９Ａは、マニュアルモードにおいて、電子メガネＧのＯＮ状態が継続している際の角度検出部１５Ａの検出値（以下、単に「ＯＮ状態における角度情報」と称する。）を記憶してよい。また、記憶部１９Ａは、ＯＮ状態における角度情報の平均値、変化、中央値、最頻値、及び、標準偏差のうちの少なくとも一つを記憶してよい。
【０２３５】
また、記憶部１９Ａは、マニュアルモードにおいて、電子メガネＧの状態（ＯＮ状態とＯＦＦ状態）が切り替えられた時点の直前（所定時間前）及び／又は直後（所定時間後）における動作検出部１８Ａの検出値を記憶してよい。具体的には、記憶部１９Ａは、電子メガネＧの状態が切り替えられた時点の直前及び／又は直後における、所定時間内のユーザの頭の動き（例えば、頭を下げる動作又は頭を上げる動作）の角速度（加速度）を記憶してよい。例えば、ユーザは、電子メガネＧをＯＮ状態に切り替える際、比較的遅い速度で頭を下げる。また、ユーザは、電子メガネＧをＯＦＦ状態に切り替える際、電子メガネＧをＯＮ状態に切り替える際に頭を下げる速度よりも、早い速度で頭を上げる。
【０２３６】
また、記憶部１９Ａは、ユーザの生活のリズムを記憶してもよい。具体的には、記憶部１９Ａは、ユーザが情報媒体を使用する時間帯を記憶してよい。
【０２３７】
一例として、記憶部１９Ａは、ユーザが本を読む時間帯、ノートパソコンで作業する時間帯、通勤中にスマートフォンを閲覧（読書）する時間帯を記憶してよい。記憶部１９Ａは、これらの時間帯に所定のオフセット時間を含めてもよい。
【０２３８】
＜制御部＞
制御部２０Ａは、配線２１を介して、操作入力部１２Ａの検出パッド、第一電極１１１ａ及び第二電極１１１ｅに電気的に接続されている。このような制御部２０Ａは、既述の通信部１４Ａ、角度検出部１５Ａ、距離検出部１６Ａ、照度検出部１７Ａ、動作検出部１８Ａ、記憶部１９Ａ、認識部２２Ａ、及び、取得部２３Ａの機能を制御する。なお、制御部２０Ａは、実施形態１の制御部２０と共通の制御部であってよい。
【０２３９】
制御部２０Ａは、所定のタイミングで、通信部１４Ａに無線接続された外部端末５Ａ（使用中の外部端末５Ａとも称する。）から、媒体情報（使用媒体情報）を取得するように、通信部１４Ａを制御してよい。制御部２０Ａは、使用媒体情報を、記憶部１９Ａに記憶してよい。
【０２４０】
制御部２０Ａは、取得部２３Ａから取得した情報媒体に関する情報に基づいて、電子メガネＧのレンズ１１に対向する（つまり、ユーザが使用中の）情報媒体の種類を判定してもよい。
【０２４１】
制御部２０Ａは、記憶部１９Ａに記憶された情報媒体毎の媒体情報、第一角度情報、及び、第二角度情報（図１５に示す閾値テーブルに関する情報）を、外部端末５及びサーバ７のうちの少なくとも一方に送信するように、通信部１４Ａを制御してもよい。
【０２４２】
また、制御部２０Ａは、角度検出部１５Ａから取得した角度情報を、電子メガネＧに無線接続された外部端末５Ａに送信するように、通信部１４Ａを制御してもよい。制御部２０Ａは、角度情報及び電子メガネＧのユーザに関する情報（例えば、ユーザＩＤ）を、外部端末５Ａに送信するように、通信部１４Ａを制御してもよい。
【０２４３】
制御部２０Ａは、角度検出部１５Ａから取得した角度情報を、電子メガネＧに接続されたサーバ７に送信するように、通信部１４Ａを制御してもよい。制御部２０Ａは、角度情報及び電子メガネＧのユーザに関する情報（例えば、ユーザＩＤ）を、サーバ７に送信するように、通信部１４Ａを制御してもよい。
【０２４４】
制御部２０Ａは、取得した角度情報、距離情報、照度情報、及び、動作情報のうち少なくとも一つの情報（使用状況に関する情報）を、ネットワークＮを介して電子メガネＧに通信接続されたサーバ７に送信するように、通信部１４Ａを制御してもよい。制御部２０Ａは、使用状況に関する情報に、電子メガネＧのユーザに関する情報（例えば、ユーザＩＤ）を含めてよい。
【０２４５】
制御部２０Ａは、使用状況に関する情報に、電子メガネＧに関する情報（例えば、グラスＩＤ）を含めてよい。なお、使用状況に関する情報は、角度検出部１５Ａ、距離検出部１６Ａ、照度検出部１７Ａ、及び、動作検出部１８Ａから取得した情報であってよい。また、使用状況に関する情報は、記憶部１９Ａに記憶された情報であってもよい。
【０２４６】
以下、電子メガネＧのモード毎に実現される、制御部２０Ａの機能について説明する。
【０２４７】
＜マニュアルモードにおける制御部の機能について＞
電子メガネＧのモードがマニュアルモードである場合、制御部２０Ａは、操作入力部１２Ａが既述の第一操作入力を受け付けた場合、電子メガネＧをＯＮ状態としてよい。また、制御部２０Ａは、操作入力部１２Ａが既述の第二操作入力を受け付けた場合、電子メガネＧをＯＦＦ状態としてよい。
【０２４８】
また、制御部２０Ａは、操作入力部１２Ａがマニュアルモード実行入力を受け付けた場合、電子メガネＧのモードを、オートモードからマニュアルモードに切り替えてよい。
【０２４９】
また、制御部２０Ａは、操作入力部１２Ａがオートモード実行入力を受け付けた場合、電子メガネＧのモードを、マニュアルモードからオートモードに切り替えてよい。
【０２５０】
また、電子メガネＧのモードがマニュアルモードであり、かつ、学習モードがＯＦＦ状態である場合（以下、「第一マニュアルモード」と称する。）、制御部２０Ａは、操作入力部１２Ａが学習モード実行入力を受け付けたとき、学習モードを、ＯＦＦ状態からＯＮ状態に切り替えてよい。
【０２５１】
また、電子メガネＧのモードがマニュアルモードであり、かつ、学習モードがＯＮ状態である場合（以下、「第二マニュアルモード」と称する。）、制御部２０Ａは、操作入力部１２Ａが学習モード停止入力を受け付けたとき、学習モードを、ＯＮ状態からＯＦＦ状態に切り替えてよい。
【０２５２】
また、電子メガネＧのモードが第二マニュアルモードである場合、制御部２０Ａは、外部端末５Ａから使用媒体情報を受信するように、通信部１４Ａを制御してよい。制御部２０Ａは、通信部１４Ａが受信した使用媒体情報を取得してよい。なお、制御部２０Ａは、使用媒体情報を記憶部１９Ａから取得してもよい。
【０２５３】
また、電子メガネＧのモードが第二マニュアルモードである場合、制御部２０Ａは、取得部２３Ａから情報媒体に関する情報（使用媒体情報）を取得してもよい。
【０２５４】
また、電子メガネＧのモードが第二マニュアルモードである場合、制御部２０Ａは、操作入力部１２Ａが既述の第一操作入力を受け付けたとき、電子メガネＧ（フレーム１０）の角度を検出するように、角度検出部１５Ａを制御してよい。制御部２０Ａは、角度検出部１５Ａの検出値を取得してよい。そして、制御部２０Ａは、角度検出部１５Ａから取得した角度情報を、外部端末５Ａ又は取得部２３Ａから取得した使用媒体情報と対応付けて、記憶部１９Ａに記憶させてよい。使用媒体情報に対応する媒体情報と、この媒体情報に対応付けられた角度情報とが、すでに記憶部１９Ａに記憶されている場合、制御部２０Ａは、記憶部１９Ａに記憶された角度情報（図１５の第一角度情報参照）を、角度検出部１５Ａの検出値（最新角度情報）に更新してよい。このような制御処理を、自動学習制御と称する。
【０２５５】
なお、電子メガネＧのモードが第二マニュアルモードである場合、ユーザは、操作入力部１２Ａへの操作（例えば、ＯＦＦ状態における５秒間の長押し）により、既述の第一角度情報の基準値（以下、「第一基準値」と称する。）を設定してよい。また、電子メガネＧのモードが第二マニュアルモードである場合、ユーザは、操作入力部１２Ａへの操作（例えば、ＯＮ状態における５秒間の長押し）により、既述の第二角度情報の基準値（以下、「第二基準値」と称する。）を設定してよい。
【０２５６】
電子メガネＧのモードが第二マニュアルモードである場合、上述の自動学習制御は、第一基準値を含む所定範囲において実施されてよい。一例として、所定範囲は、第一基準値±１０度の範囲であってよい。この所定範囲が設定されている場合、制御部２０Ａは、操作入力部１２Ａが第一操作入力を受け付けた際の角度検出部１５Ａの検出値が、上記所定範囲に含まれている場合に、記憶部１９Ａに記憶された角度情報を、角度検出部１５Ａの検出値（最新角度情報）に更新してよい。
【０２５７】
＜オートモードにおける制御部の機能について＞
電子メガネＧのモードがオートモードである場合、制御部２０Ａは、操作入力部１２Ａが第一操作入力を受け付けたとき、電子メガネＧをＯＮ状態としてもよいし、しなくてもよい。また、制御部２０Ａは、操作入力部１２Ａが第二操作入力を受け付けたとき、電子メガネＧをＯＦＦ状態としてもよいし、しなくてもよい。
【０２５８】
電子メガネＧのモードがオートモードである場合、制御部２０Ａは、取得部２３Ａから取得した情報媒体に関する情報に対応する第一角度情報（図１５参照）を、記憶部１９Ａから取得してよい。一例として、情報媒体が電子メガネＧに通信接続された外部端末５Ａである場合、制御部２０Ａは、使用中の外部端末５Ａから通信部１４Ａを介して取得した使用媒体情報に対応する第一角度情報（図１５参照）を、記憶部１９Ａから取得してよい。
【０２５９】
また、一例として、情報媒体がテレビ、新聞、又は、本などの場合、制御部２０Ａは、認識部２２Ａにより認識された情報媒体に関する情報に対応する第一角度情報（図１５参照）を、記憶部１９Ａから取得してよい。
【０２６０】
制御部２０Ａは、取得した第一角度情報を、オートモードにおいて、電子メガネＧをＯＦＦ状態からＯＮ状態に自動的に切り替える際の閾値（第一閾値）に設定してよい。なお、制御部２０Ａは、第一角度情報を、外部端末５Ａ又はサーバ７から取得してもよい。
【０２６１】
また、電子メガネＧのモードがオートモードである場合、制御部２０Ａは、取得部２３Ａから取得した情報媒体に関する情報に対応する第二角度情報（図１５参照）を、記憶部１９Ａから取得してよい。一例として、情報媒体が電子メガネＧに通信接続された外部端末５Ａである場合、制御部２０Ａは、使用中の外部端末５Ａから通信部１４Ａを介して取得した使用媒体情報に対応する第二角度情報（図１５参照）を、記憶部１９Ａから取得してよい。
【０２６２】
また、一例として、情報媒体が新聞又は本などの場合、制御部２０Ａは、認識部２２Ａにより認識された情報媒体に関する情報に対応する第二角度情報（図１５参照）を、記憶部１９Ａから取得してよい。
【０２６３】
制御部２０Ａは、取得した第二角度情報を、オートモードにおいて電子メガネＧをＯＮ状態からＯＦＦ状態に自動的に切り替える際の閾値（第二閾値）に設定してよい。なお、制御部２０Ａは、第二角度情報を、外部端末５Ａ又はサーバ７から取得してもよい。
【０２６４】
制御部２０Ａは、角度検出部１５Ａの検出値が、第一閾値との関係で所定条件（第一所定条件とも称される）を満たす場合、自動的に電子メガネＧをＯＮ状態としてよい。所定条件とは、例えば、角度検出部１５Ａの検出値が、第一閾値と等しい場合であってよい。所定条件は、例えば、角度検出部１５Ａの検出値が、第一閾値以上の場合であってもよい。
【０２６５】
また、所定条件とは、例えば、角度検出部１５Ａの検出値が、第一閾値を含む所定範囲に含まれる場合であってもよい。所定範囲は、例えば、第一閾値±１度の範囲であってよい。
【０２６６】
なお、制御部２０Ａは、角度検出部１５Ａの検出値が第一閾値との関係で所定条件を満たし、且つ、動作検出部の検出値が所定条件を満たす場合に、自動的に電子メガネＧをＯＮ状態としてもよい。動作検出部の検出値が所定条件を満たす場合とは、例えば、ユーザの頭の上げ下げの加速度（角速度）が加速度に関する第一閾値以上の場合であってよい。
【０２６７】
また、制御部２０Ａは、角度検出部１５Ａの検出値が、第二閾値との関係で所定条件（第二所定条件とも称される）を満たす場合、自動的に電子メガネＧをＯＦＦ状態としてもよい。所定条件とは、例えば、角度検出部１５Ａの検出値が、第二閾値と等しい場合であってよい。また、所定条件とは、例えば、角度検出部１５Ａの検出値が、第二閾値以下の場合であってもよい。また、所定条件とは、例えば、角度検出部１５Ａの検出値が、第二閾値を含む所定範囲に含まれる場合であってよい。所定範囲は、例えば、第二閾値±１度の範囲であってよい。
【０２６８】
なお、制御部２０Ａは、角度検出部１５Ａの検出値が第二閾値との関係で所定条件を満たし、且つ、動作検出部の検出値が所定条件を満たす場合に、自動的に電子メガネＧをＯＦＦ状態としてもよい。動作検出部の検出値が所定条件を満たす場合とは、例えば、ユーザの頭の上げ下げの加速度（角速度）が加速度に関する第二閾値以上の場合であってよい。一例として、加速度に関する第一閾値は、加速度に関する第二閾値よりも小さくてよい。
【０２６９】
以上のような制御部２０Ａにより具現される機能は、集積回路により実現されてもよいし、制御部２０Ａが、記憶部１９Ａに記憶されたプログラムを読み出して実施することにより実現されてもよい。
【０２７０】
制御部２０Ａとして機能するＣＰＵは、上述の各機能を実行するためのプログラムを、記憶部１９Ａとして機能するＲＯＭから読み出してＲＡＭに展開し、展開したプログラムを実行して、上述の各機能部の動作を制御してよい。電子メガネＧのハードウェア構成は、既述の実施形態１に係る電子メガネＧのハードウェア構成と同様である。このため、電子メガネＧのハードウェア構成の説明は、省略する。なお、図示は省略するが、電子メガネＧは、ユーザの心拍や血流などの身体情報を取得する検出部を有してもよい。
【０２７１】
＜サーバへのデータ送信のタイミング＞
以下、電子メガネＧの使用状況に関する情報を、サーバ７に送信する送信方法について説明する。
【０２７２】
第一送信方法は、電子メガネＧが、電子メガネＧにおいて、使用状況に関する情報（角度情報、距離情報、照度情報、及び、動作情報など）が検出されるたびに、検出された使用状況に関する情報をサーバ７に送信する方法である。
【０２７３】
第二送信方法は、電子メガネＧが、所定のタイミングで、記憶部１９Ａに記憶されている使用状況に関する情報をサーバ７に送信する方法である。所定のタイミングは、例えば、電子メガネＧがＯＮ状態からＯＦＦ状態に切り替わったタイミング、電子メガネＧがＯＦＦ状態からＯＮ状態に切り替わったタイミング、又は、電子メガネＧが一定時間使用されていない状態（例えば、電子メガネＧの使用状況に関する情報である角度情報や照度情報、動作情報などが一定時間変化していない状態）が続いたタイミングであってよい。
【０２７４】
第三送信方法は、外部端末５Ａを介して、使用状況に関する情報をサーバ７に送る方法である。電子メガネＧは、所定のタイミングで使用状況に関する情報を外部端末５Ａに送信してよい。外部端末５Ａは、受信した使用状況に関する情報を、所定のタイミングでサーバ７に送信してよい。
【０２７５】
外部端末５Ａは、使用状況に関する情報を電子メガネＧから受信するたびに、使用状況に関する情報をサーバ７に送信してもよい。あるいは、外部端末５Ａは、受信した使用状況に関する情報を記憶部５８Ａ（図１３参照）に記憶し、記憶部５８Ａに記憶された使用状況に関する情報を、所定のタイミングでサーバ７に送信してよい。
【０２７６】
第四送信方法は、サーバ７と通信する機能及び電子メガネＧに電源を供給する機能を有する充電器（不図示）を介して、使用状況に関する情報をサーバ７に送信する方法である。第四送信方法の場合、電子メガネＧの使用状況に関する情報は、充電器により電子メガネＧを充電する際、充電器の通信部を介して、サーバ７に送信されてよい。
【０２７７】
＜外部端末＞
外部端末５Ａは、通信部５１Ａ、入力部５２Ａ、表示部５３Ａ、距離検出部５６Ａ、記憶部５８Ａ、及び、制御部５９Ａなどを有する。
【０２７８】
外部端末５Ａは、スマートフォン、タブレット端末、デスクトップ型コンピュータ、及び、ラップトップ型コンピュータなどである。
【０２７９】
通信部５１Ａは、電子メガネＧと無線通信により通信する。また、通信部５１Ａは、ネットワークＮを介してサーバ７と通信してもよい。そのため、通信部５１Ａは、例えば、情報の送信部及び受信部（不図示）を備えてよい。通信部５１Ａによる電子メガネＧ及びサーバ７との通信は、例えば、制御部５９Ａによって制御されてよい。
【０２８０】
＜通信部が送信する情報について＞
また、通信部５１Ａは、電子メガネＧからのリクエストに応じて、外部端末５Ａを特定するための媒体情報を、電子メガネＧに送信してよい。
【０２８１】
また、通信部５１Ａは、電子メガネＧと無線接続されたことを条件として、外部端末５Ａを特定するための媒体情報を、電子メガネＧに送信してよい。
【０２８２】
また、通信部５１Ａは、電子メガネＧからのリクエストに応じて、既述の第一角度情報を、電子メガネＧに送信してよい。また、通信部５１Ａは、電子メガネＧからのリクエストに応じて、既述の第二角度情報を、電子メガネＧに送信してよい。
【０２８３】
通信部５１Ａは、電子メガネＧから取得した情報（角度情報、媒体情報、及び、ユーザに関する情報など）を、後述のサーバ７に送信してよい。
【０２８４】
＜通信部が受信する情報について＞
通信部５１Ａは、電子メガネＧから、角度情報（第一角度情報）を受信してよい。通信部５１Ａは、電子メガネＧから、ユーザに関する情報を受信してよい。通信部５１Ａは、電子メガネＧから受信した情報を、制御部５９Ａに送ってよい。
【０２８５】
＜入力部＞
入力部５２Ａは、情報の入力を受け付ける。例えば、ユーザからの入力情報が、入力部５２Ａによって受け付けられて制御部５９Ａに入力される。
【０２８６】
＜表示部＞
表示部５３Ａは、情報を表示する。表示部５３Ａに表示される情報は、例えば、記憶部５８Ａに記憶された情報でもよいし、制御部５９Ａによって生成された情報でもよい。
【０２８７】
入力部５２Ａと表示部５３Ａとは、個別のデバイスによって構成されてもよいし、例えば、タッチパネルディスプレイのように、情報の入力と出力（表示）とを並行して行えるデバイスに一体化されてもよい。
【０２８８】
＜距離検出部＞
距離検出部５６Ａは、取得した撮像画像情報に基づいて、外部端末５Ａと、外部端末５Ａに対向する物体（ユーザの顔、又は、電子メガネＧなど）との距離を検出する。距離検出部５６Ａは、検出値（距離情報）を制御部５９Ａに送る。なお、距離検出部５６Ａが実施する距離の検出方法は、公知の方法であってよい。
【０２８９】
＜記憶部＞
記憶部５８Ａは、外部端末５Ａの媒体情報を記憶する。また、記憶部５８Ａは、電子メガネＧから取得した第一角度情報を、媒体情報と対応付けて記憶してよい（図１５参照）。記憶部５８Ａは、電子メガネＧから取得した第二角度情報を、媒体情報と対応付けて記憶してよい（図１５参照）。記憶部５８Ａは、媒体情報、第一角度情報、及び、第二角度情報を、ユーザに関する情報（例えば、ユーザＩＤ）と対応付けて記憶してよい。
【０２９０】
＜制御部＞
制御部５９Ａは、例えば、上述した外部端末５Ａのエレメントそれぞれの動作を制御する。
【０２９１】
制御部５９Ａは、媒体情報を電子メガネＧに送信するように、通信部５１Ａを制御してよい。例えば、制御部５９Ａは、電子メガネＧからのリクエストがあった場合に、媒体情報を電子メガネＧに送信するように、通信部５１Ａを制御してよい。あるいは、制御部５９Ａは、外部端末５Ａと電子メガネＧとが通信接続（例えば、ペアリング）されたことを条件に、媒体情報を電子メガネＧに送信するように、通信部５１Ａを制御してよい。
【０２９２】
制御部５９Ａは、表示部５３Ａに表示させる情報に応じた表示制御信号を表示部５３Ａに与えることによって、表示部５３Ａの表示状態を制御してよい。制御部５９Ａは、表示制御部の一例にも該当する。
【０２９３】
また、制御部５９Ａは、距離検出部５６Ａから距離情報を取得した場合に、取得した距離情報を電子メガネＧに送信するように、通信部５１Ａを制御してよい。
【０２９４】
［外部端末のハードウェア構成］
図１４に示すように、外部端末５Ａは、ハードウェア構成に着目した場合、例えば、プロセッサ１００１、入力装置１００２、出力装置１００３、メモリ１００４、及び、ストレージ１００５を備えてよい。また、外部端末５Ａは、通信インタフェース（ＩＦ）１００７、センサ１００８、及び、電源回路１００９を備えてよい。これらのエレメント１００１〜１００５、１００７〜１００９は、例えば、バス１０１０によって接続されてよい。このような外部端末５Ａのエレメント１００１〜１００５、１００７〜１００９は、既述の実施形態１の外部端末５のエレメント１００１〜１００５、１００７〜１００９とほぼ同様である。このため、外部端末５Ａのハードウェア構成に関する説明は省略する。尚、外部端末５Ａは、実施形態１の外部端末５と同様に、撮像装置１００６を備えてもよい。
【０２９５】
＜サーバ＞
サーバ７は、図７に示すように、通信部７１、記憶部７２、及び、制御部７３などを有する。なお、サーバのハードウェア構成については、既述の外部端末５Ａのハードウェア構成とほぼ同様である。
【０２９６】
＜通信部＞
通信部７１は、電子メガネＧ及び／又は外部端末５Ａと、ネットワークＮ（例えば、インターネット）を介して通信する。通信部７１と、電子メガネＧ及び／又は外部端末５Ａとの通信は、有線通信であってもよいし、一部に無線通信を介してもよい。そのため、通信部７１は、情報の送信部及び受信部（図示省略）などを備えてよい。電子メガネＧ及び／又は外部端末５Ａとの通信は、制御部７３によって制御されてよい。
【０２９７】
通信部７１は、電子メガネＧから、第一角度情報、第二角度情報、及び、媒体情報のうちの少なくとも一つの情報を受信してよい。通信部７１は、受信した第一角度情報、第二角度情報、及び、媒体情報を、制御部７３に送ってよい。
【０２９８】
＜記憶部＞
記憶部７２は、取得した第一角度情報を、取得した媒体情報と対応付けてを記憶してよい（図１５参照）。記憶部７２は、取得した第二角度情報を、取得した媒体情報と対応付けてを記憶してよい（図１５参照）。
【０２９９】
記憶部７２は、第一角度情報及び媒体情報を、ユーザに関する情報（例えば、ユーザＩＤ）と対応付けて記憶してよい。記憶部７２は、第二角度情報及び媒体情報を、ユーザに関する情報（例えば、ユーザＩＤ）と対応付けて記憶してよい。また、記憶部７２は、第一角度情報及び媒体情報を、電子メガネに関する情報毎（例えば、グラスＩＤ）と対応付けて記憶してよい。
【０３００】
＜電子メガネの動作：マニュアルモード＞
つぎに、電子メガネＧのマニュアルモードにおける動作の一例について説明する。電子メガネＧは、マニュアルモードにおいて、ユーザの操作入力（例えば、第一操作入力及び第二操作入力）に基づいて、特性変化部１１１のＯＮ状態とＯＦＦ状態とを切り替える。
【０３０１】
まず、電子メガネＧの特性変化部１１１のＯＦＦ状態について説明する。電子メガネＧのＯＦＦ状態では、レンズ１１の第一領域１１ａにおいて、液晶モジュール１１１ｃの屈折率と、第一基板１１０及び第二基板１１２の屈折率とが、ほぼ同じとなる。このため、特性変化部１１１において、液晶モジュール１１１ｃに起因するレンズ効果は生じない。したがって、レンズ１１において、第一領域１１ａの度数と、第二領域１１ｂの度数とは、互いにほぼ同じとなる。
【０３０２】
電子メガネＧのＯＦＦ状態において、操作入力部１２Ａが記述の第一操作入力を受け付けると、第一操作入力に基づく静電容量の変化が、操作入力部１２Ａの検出パッドによって検出される。第一操作入力に基づく検出情報は、制御部２０Ａに送信される。制御部２０Ａは、取得した操作入力部１２Ａの検出情報に基づいて、特性変化部１１１をＯＦＦ状態からＯＮ状態に切り替える。
【０３０３】
これにより、特性変化部１１１の液晶モジュール１１１ｃにおける液晶材料の配向が変化して、液晶モジュール１１１ｃの屈折率が変化する（ＯＮ状態となる）。
【０３０４】
電子メガネＧのＯＮ状態では、液晶モジュール１１１ｃの屈折率と、第一基板１１０及び第二基板１１２の屈折率とが、互いに異なる。このため、第一領域１１ａにおいて、液晶モジュール１１１ｃに起因するレンズ効果が生じる。この結果、第一領域１１ａの度数が変化する。
【０３０５】
電子メガネＧのＯＮ状態において、操作入力部１２Ａが第二操作入力を受け付けると、制御部２０Ａは、特性変化部１１１への電圧の印加を停止する。これにより、液晶モジュール１１１ｃにおける液晶材料の配向が、電圧印可前の状態に戻って、特性変化部１１１がＯＮ状態からＯＦＦ状態に切り替わる。
【０３０６】
以上のように、本実施形態に係る電子メガネＧでは、ユーザの指の接触を検知して、レンズ１１の第一領域１１ａの度数を切替えることができる。
【０３０７】
＜電子メガネの動作：オートモード＞
つぎに、図１６Ａ〜図１６Ｃを参照して、電子メガネＧのオートモードにおける動作の一例について説明する。電子メガネＧは、オートモードにおいて、記憶部１９Ａに記憶されている媒体情報及び角度情報（第一角度情報及び第二角度情報）に基づいて、特性変化部１１１の状態（ＯＮ状態又はＯＦＦ状態）を切り換える。
【０３０８】
図１６Ａ〜図１６Ｃに示す電子メガネＧのオートモードにおける動作は、制御部２０Ａ（ＣＰＵ）が、オートモードにおける処理を実現するためのプログラムを、記憶部１９Ａ（ＲＯＭ）から読み出してＲＡＭに展開し、展開したプログラムを実行して実現されてよい。
【０３０９】
まず、図１６ＡのステップＳ５０１において、ユーザは、操作入力部１２Ａにオートモード実行入力を入力する。制御部２０Ａは、操作入力部１２Ａがオートモード実行入力を受け付けると、電子メガネＧのモードをオートモードに切り替える。
【０３１０】
つぎに、図１６ＡのステップＳ５０２において、制御部２０Ａは、ユーザが使用中の情報媒体が、電子メガネＧと通信接続される通信端末であるか否かを判定する。なお、通信端末であるか否かを判定する方法は特に限定されない。例えば、制御部２０Ａは、電子メガネＧと情報媒体との間の通信の結果に基づいて、通信端末であるか否かを判定してよい。
【０３１１】
ステップＳ５０２において、情報媒体が通信端末である場合（ステップＳ５０２で“ＹＥＳ”）、制御処理は、ステップＳ５０３（処理１）に遷移する。一方、ステップＳ５０２において、情報媒体が通信端末でない場合（ステップＳ５０２で“ＮＯ”）、制御処理は、ステップＳ５０４（処理２）に遷移する。
【０３１２】
＜処理１＞
以下、図１６Ｂを参照して、図１６ＡのステップＳ５０３において実施される処理１について説明する。
【０３１３】
まず、ステップＳ５１０１において、電子メガネＧと外部端末５Ａとを無線接続させる。ステップＳ５１０１の制御処理は、ユーザの操作入力に基づいて行われてよい。あるいは、ステップＳ５１０１の制御処理は、制御部２０Ａによる自動制御であってもよい。例えば、制御部２０Ａは、電子メガネＧと外部端末５Ａとが互いに無線接続可能な状態であることを検出した場合に、電子メガネＧと外部端末５Ａとを接続させてよい。また、ステップＳ５１０１において、電子メガネＧと外部端末５Ａとが無線接続されている場合には、ステップＳ５１０１は省略されてよい。
【０３１４】
つぎに、図１６ＢのステップＳ５１０２において、制御部２０Ａは、外部端末５Ａから使用媒体情報を取得するように、通信部１４Ａを制御する。すると、ステップＳ５１０２において、通信部１４Ａは、外部端末５Ａから使用媒体情報（情報媒体に関する情報）を取得する。
【０３１５】
つぎに、図１６ＢのステップＳ５１０３において、制御部２０Ａは、記憶部１９Ａから、ステップＳ５１０２で取得した使用媒体情報に対応する第一角度情報を取得する。そして、制御部２０Ａは、取得した第一角度情報を、第一閾値とする。
【０３１６】
つぎに、図１６ＢのステップＳ５１０４において、制御部２０Ａは、記憶部１９Ａから、ステップＳ５１０２で取得した使用媒体情報に対応する第二角度情報を取得する。そして、制御部２０Ａは、取得した第一角度情報を、第二閾値とする。
【０３１７】
つぎに、図１６ＢのステップＳ５１０５において、制御部２０Ａは、電子メガネＧ（フレーム１０）の角度情報を取得するように、角度検出部１５Ａを制御する。ステップＳ５１０５において、角度検出部１５Ａは、電子メガネＧ（フレーム１０）の角度情報（以下、「使用角度情報」と称する。）を取得する。なお、角度検出部１５Ａは、連続的に使用角度情報を取得してもよいし、離散的に（所定の時間間隔をあけて）使用角度情報を取得してもよい。
【０３１８】
１６ＢのステップＳ５１０６において、制御部２０Ａは、電子メガネＧがＯＦＦ状態であるか否かを判定する。なお、電子メガネＧ（特性変化部１１１）がＯＦＦ状態であっても、図１６Ｂに示すオートモード制御は実行される。ステップＳ５１０６において、電子メガネＧがＯＦＦ状態である場合には（ステップＳ５１０６で“ＹＥＳ”）、制御処理は、ステップＳ５１０７に遷移する。一方、ステップＳ５１０６において、電子メガネＧがＯＦＦ状態でない場合には（ステップＳ５１０６で“ＮＯ”）、制御処理は、ステップＳ５１０９に遷移する。
【０３１９】
つぎに、ステップＳ５１０７において、制御部２０Ａは、使用角度情報と、第一閾値とを比較する。ステップＳ５１０７において、使用角度情報が、第一閾値以上の場合には（ステップＳ５１０７で“ＹＥＳ”）、制御処理は、ステップＳ５１０８に遷移する。
【０３２０】
なお、変形例として、ステップＳ５１０７において、使用角度情報が第一閾値に等しい場合に（ステップＳ５１０７で“ＹＥＳ”）、制御処理は、ステップＳ５１０８に遷移してもよい。変形例の場合に、使用角度情報と第一閾値との差が所定範囲内であれば、使用角度情報と第一閾値とが等しいと捉えてもよい。所定範囲は、第一閾値±オフセット量の範囲であってよい。オフセット量は、標準偏差等の統計情報に基づいて自動的に設定されてもよい。また、オフセット量の大きさは、例えば、「狭い」、「普通」、及び「広い」の中からユーザにより選択されてもよい。また、ステップＳ５１０７において、使用角度情報が、第一閾値以上ではない場合には（ステップＳ５１０７で“ＮＯ”）、制御処理は、ステップＳ５１０５に遷移する。
【０３２１】
つぎに、ステップＳ５１０８において、制御部２０Ａは、電子メガネＧをＯＦＦ状態からＯＮ状態に切り替える。
【０３２２】
また、ステップＳ５１０６から遷移したステップＳ５１０９において、制御部２０Ａは、使用角度情報と、第二閾値とを比較する。ステップＳ５１０９において、使用角度情報が、第二閾値以下の場合には（ステップＳ５１０９で“ＹＥＳ”）、制御処理は、ステップＳ５１１０に遷移する。
【０３２３】
なお、変形例として、ステップＳ５１０９において、使用角度情報が第二閾値に等しい場合に（ステップＳ５１０９で“ＹＥＳ”）、制御処理は、ステップＳ５１１０に遷移してもよい。変形例の場合に、使用角度情報と第二閾値との差が所定範囲内であれば、使用角度情報と第二閾値とが等しいと捉えてもよい。また、ステップＳ５１０９において、使用角度情報が、第二閾値以下ではない場合には（ステップＳ５１０９で“ＮＯ”）、制御処理は、ステップＳ５１０５に遷移する。
【０３２４】
つぎに、ステップＳ５１１０において、制御部２０Ａは、電子メガネＧをＯＮ状態からＯＦＦ状態に切り替える。
【０３２５】
つぎに、ステップＳ５１１１において、制御部２０Ａは、電子メガネＧのオートモードをＯＦＦにする入力（以下、「オートモード停止入力」と称する。）が入力されたか否かを判定する。ステップＳ５１１１においてオートモード停止入力が入力された場合（ステップＳ５１１１で“ＹＥＳ”）、制御処理は終了する。一方、ステップＳ５１１１においてオートモード停止入力が入力されていない場合（ステップＳ５１１１で“ＮＯ”）、制御処理は、ステップＳ５１０５に遷移する。
【０３２６】
＜処理２＞
以下、図１６Ｃを参照して、図１６ＡのステップＳ５０４において実施される処理２について説明する。
【０３２７】
まず、ステップＳ５２０１において、制御部２０Ａは、取得部２３Ａから情報媒体に関する情報（使用媒体情報）を取得する。ステップＳ５２０１で取得する使用媒体情報は、認識部２２Ａにより認識された情報媒体に関する情報である。
【０３２８】
図１６ＣのステップＳ５２０２〜ステップＳ５２１０は、図１６Ｂに示すステップＳ５１０３〜ステップＳ５１１１と同様である。このため、図１６ＣのステップＳ５２０２〜ステップＳ５２１０に関する説明は省略する。
【０３２９】
＜電子メガネの自動学習制御＞
つぎに、図１７Ａ〜図１７Ｃを参照して、電子メガネＧの自動学習制御について説明する。図１７Ａ〜図１７Ｃは、電子メガネＧの自動学習制御のフローチャートである。電子メガネＧの自動学習制御は、オートモードにおいて電子メガネＧを自動的にＯＮ状態にする際の閾値を、電子メガネＧに無線接続されている外部端末５Ａとの関係で最適化するための処理である。なお、図１７Ａ〜図１７Ｃに示す自動学習制御は、ユーザの操作入力に基づいて、学習モードがＯＮ状態になった場合に実施される。
【０３３０】
まず、図１７ＡのステップＳ６０１において、ユーザは、操作入力部１２Ａから学習モード実行入力を入力する。すると、操作入力部１２Ａは、学習モード実行入力を受けつける。制御部２０Ａは、操作入力部１２Ａが学習モード実行入力を受け付けると、学習モードをＯＮ状態にする。
【０３３１】
つぎに、図１７ＡのステップＳ６０２において、制御部２０Ａは、ユーザが使用中の情報媒体が、電子メガネＧと通信接続される通信端末であるか否かを判定する。なお、通信端末であるか否かを判定する方法は特に限定されない。例えば、制御部２０Ａは、電子メガネＧと情報媒体との間の通信の結果に基づいて、通信端末であるか否かを判定してよい。
【０３３２】
ステップＳ６０２において、情報媒体が通信端末である場合（ステップＳ６０２で“ＹＥＳ”）、制御処理は、ステップＳ６０３（処理３）に遷移する。一方、ステップＳ６０２において、情報媒体が通信端末でない場合（ステップＳ６０２で“ＮＯ”）、制御処理は、ステップＳ６０４（処理４）に遷移する。
【０３３３】
＜処理３＞
以下、図１７Ｂを参照して、図１７ＡのステップＳ６０３において実施される処理３について説明する。
【０３３４】
まず、ステップＳ６１０１において、電子メガネＧと外部端末５Ａとを無線接続させる。ステップＳ６１０１の制御処理は、ユーザの操作入力に基づいて行われてよい。あるいは、ステップＳ６１０１の制御処理は、制御部２０Ａによる自動制御であってもよい。例えば、制御部２０Ａは、電子メガネＧと外部端末５Ａとが互いに無線接続可能な状態であることを検出した場合に、電子メガネＧと外部端末５Ａとを自動的に接続してよい。また、ステップＳ６１０１において、電子メガネＧと外部端末５Ａとが無線接続されている場合には、ステップＳ６１０１は省略されてよい。
【０３３５】
なお、ステップＳ６１０１において、電子メガネＧに接続可能な外部端末５Ａが複数存在する場合には、ユーザは、電子メガネＧに接続させる外部端末５Ａを選択してよい。ユーザは、電子メガネＧの操作入力部１２Ａを操作することにより、電子メガネＧに接続する外部端末を選択してよい。また、電子メガネＧに予め登録された外部端末５Ａのうち、電子メガネＧと正対した外部端末が、電子メガネＧに接続される外部端末として自動的に選択されてもよい。また、電子メガネＧに接続される外部端末は、外部端末が発信する信号の強度、外部端末が有するセンサ（例えば、加速度センサ、距離センサなど）の検出値、外部端末が有する撮像装置の撮像情報などに基づいて選択されてもよい。
【０３３６】
つぎに、図１７ＢのステップＳ６１０２において、制御部２０Ａは、外部端末５Ａから使用媒体情報を取得するように、通信部１４Ａを制御する。すると、ステップＳ６１０２において、通信部１４Ａは、外部端末５Ａから使用媒体情報を取得する。
【０３３７】
つぎに、図１７ＢのステップＳ６１０３において、制御部２０Ａは、ユーザから第一操作入力が入力されたか否かを判定する。換言すれば、ステップＳ６１０３において、制御部２０Ａは、ユーザの操作入力に基づいて、電子メガネＧがＯＦＦ状態からＯＮ状態に切り替わったか否かを判定する。
【０３３８】
ステップＳ６１０３において、第一操作入力が入力されていない場合（ステップＳ６１０３で“ＮＯ”）、制御処理は、ステップＳ６１０３を繰り返す。
【０３３９】
一方、ステップＳ６１０３において、第一操作入力が入力された場合（ステップＳ６１０３で“ＹＥＳ”）、制御処理は、ステップＳ６１０４に遷移する。
【０３４０】
つぎに、図１７ＢのステップＳ６１０４において、制御部２０Ａは、電子メガネＧ（フレーム１０）の角度情報を検出するように、角度検出部１５Ａを制御する。すると、角度検出部１５Ａは、ステップＳ６１０４において、電子メガネＧ（フレーム１０）の角度情報を検出する。なお、ステップＳ６１０３において電子メガネＧがＯＮ状態になってから所定時間（例えば、５秒）以内にＯＦＦ状態になった場合、ステップＳ６１０４において角度検出部１５Ａが検出した検出値は、ユーザの誤操作に基づく検出値として取り扱われてもよい。この場合、図示は省略するが、制御処理は、ステップＳ６１０３に遷移する。
【０３４１】
つぎに、図１７ＢのステップＳ６１０５において、制御部２０Ａは、取得した角度情報を、ステップＳ６１０２で取得した使用媒体情報と対応付けて記憶するように、記憶部１９Ａを制御する。すると、記憶部１９Ａは、ステップＳ６１０５において、取得した角度情報を、使用媒体情報と対応付けて記憶する。
【０３４２】
なお、ステップＳ６１０５において、記憶部１９Ａが、使用媒体情報に対応する媒体情報と、この媒体情報に対応付けられた角度情報（第一角度情報）とを記憶している場合には、記憶部１９Ａは、記憶された角度情報（第一角度情報）を、最新の角度情報（つまり、ステップＳ６１０５で取得した角度情報）に更新してもよい。
【０３４３】
また、ステップＳ６１０４が複数回実行された場合には、制御部２０Ａは、取得した角度情報のうち、例えば、電子メガネＧがＯＮ状態になってからＯＦＦ状態になるまでの間に最も高い頻度で検出された角度情報を、ステップＳ６１０２で取得した使用媒体情報と対応付けて記憶するように、記憶部１９Ａを制御してもよい。この場合には、ステップＳ６１０４の処理は、図１７ＢのステップＳ６１０６の後に実施されてもよい。
【０３４４】
つぎに、図１７ＢのステップＳ６１０６において、制御部２０Ａは、第二操作入力が入力されたか否かを判定する。換言すれば、ステップＳ６１０６において、制御部２０Ａは、ユーザの操作入力に基づいて、電子メガネＧがＯＮ状態からＯＦＦ状態に切り替わったか否かを判定する。
【０３４５】
ステップＳ６１０６において、第二操作入力が入力された場合（ステップＳ６１０６で“ＹＥＳ”）、自動学習制御は終了する。一方、ステップＳ６１０６において、第二操作入力が入力されていない場合（ステップＳ６１０６で“ＮＯ”）、制御処理は、ステップＳ６１０４に遷移する。
【０３４６】
なお、図１７Ｂに示すフローチャートにおいて、ステップＳ６１０４で角度情報を取得した後、制御部２０Ａは、取得した角度情報を所定のタイミングで外部端末５Ａ及び／又はサーバ７に送信するように、通信部１４Ａを制御してもよい。制御部２０Ａは、図１７Ｂに示す自動学習制御とは別の処理において、角度情報を外部端末５Ａ及び／又はサーバ７に送信してもよい。送信方法は、既述の通りである。
【０３４７】
＜処理４＞
以下、図１７Ｃを参照して、図１７ＡのステップＳ６０４において実施される処理４について説明する。
【０３４８】
まず、ステップＳ６２０１において、制御部２０Ａは、取得部２３Ａから情報媒体に関する情報（使用媒体情報）を取得する。ステップＳ６２０１で取得する使用媒体情報は、認識部２２Ａにより認識された情報媒体に関する情報である。
【０３４９】
図１７ＣのステップＳ６２０２〜ステップＳ６２０５は、図１７Ｂに示すステップＳ６１０３〜ステップＳ６１０６と同様である。このため、図１７ＣのステップＳ６２０２〜ステップＳ６２０５に関する説明は省略する。
【０３５０】
＜作用・効果について＞
以上のような本実施形態によれば、電子メガネＧのオートモードにおいて、電子メガネＧに無線接続された外部端末５Ａに応じた制御が、実施される。
【０３５１】
すなわち、本実施形態の場合、電子メガネＧのオートモードにおいて、電子メガネＧを自動的にＯＮ状態にする際の閾値（第一閾値）と、電子メガネＧを自動的にＯＦＦ状態にする際の閾値（第二閾値）とを、無線接続されている外部端末５Ａに応じて設定できる。このため、ユーザが使用している外部端末５Ａに適した制御が可能となる。
【０３５２】
また、電子メガネＧは、記憶部１９Ａに、外部端末５Ａ毎に第一閾値（第一角度情報）及び第二閾値（第二角度情報）を記憶している。そして、制御部２０Ａは、電子メガネＧの学習モードがＯＮ状態の場合に、記憶部１９Ａに記憶された第一角度情報を、新たに取得した第一角度情報に更新する。これにより、記憶部１９Ａに記憶された外部端末５Ａ毎の第一角度情報を、最新の角度情報に保つことができる。この結果、電子メガネＧは、オートモードにおいて、ユーザにとって好適なタイミングでＯＮ状態を実現できる。
【０３５３】
２０１８年９月２７日出願の特願２０１８−１８２６１６の日本出願、および、２０１８年９月２７日出願の特願２０１８−１８２６１７の日本出願に含まれる明細書、図面、および要約書の開示内容は、すべて本願に援用される。
【０３５４】
＜付記＞
上述の各実施形態では、アイウェアとして、電子メガネについて説明したが、本発明に係るアイウェアは、電子メガネに限定されない。アイウェアの他の例として、例えば、サングラス、ゴーグル、ヘッドマウントディスプレイなどが挙げられる。
【０３５５】
＜参考例＞
以下、本発明の参考例に係るアイウェア及びプログラムの構成について説明する。なお、参考例に係るアイウェア及びプログラムは、実施形態２で説明したアイウェア及びプログラムに対応する。このような参考例に係るアイウェア及びプログラムは、単独で実施されてもよいし、参考例に係るアイウェア及びプログラムを主として、実施形態１に係るアイウェア及びプログラムと組み合わせて実施されてもよい。
【０３５６】
＜参考例１＞
参考例１に係るアイウェアは、
フレームと、
上記フレームに支持され、電気的制御により光学特性が変化する光学特性変化部を有するレンズと、
上記レンズに対向する情報媒体に関する情報を取得する取得部と、
上記フレームの傾斜角に関する角度情報を検出する角度検出部と、
第一モードにおいて、ユーザからの入力に基づいて、上記電気的制御を行い、第二モードにおいて、上記角度検出部の検出値及び上記情報媒体に関する情報に基づいて上記電気的制御を行う制御部と、を備える。
【０３５７】
＜参考例２＞
参考例２に係るアイウェアは、参考例１に係るアイウェアであって、
上記情報媒体は、上記アイウェアに無線接続された外部端末であり、
上記取得部は、上記外部端末から上記情報媒体に関する情報を取得する。
【０３５８】
＜参考例３＞
参考例３に係るアイウェアは、参考例１又は２に係るアイウェアであって、
上記情報媒体毎の第一閾値を記憶する記憶部を、さらに備え、
上記制御部は、上記第二モードにおいて、取得した上記情報媒体に関する情報に対応する上記第一閾値を、上記記憶部から取得し、上記角度検出部の検出値が、上記第一閾値以上の場合に、上記電気的制御により上記光学特性変化部をＯＮ状態にする。
【０３５９】
＜参考例４＞
参考例４に係るアイウェアは、参考例３に係るアイウェアであって、
上記記憶部は、上記情報媒体毎の第二閾値を記憶し、
上記制御部は、上記第二モードにおいて、取得した上記情報媒体に関する情報に対応する上記第二閾値を、上記記憶部から取得し、上記角度検出部の検出値が、上記第二閾値以下の場合に、上記電気的制御により上記光学特性変化部をＯＦＦ状態にする。
【０３６０】
＜参考例５＞
参考例５に係るアイウェアは、参考例３又は４に係るアイウェアであって、
上記検出部は、上記第一モードにおいて、上記制御部の電気的制御により上記光学特性変化部がＯＮ状態になった際の上記角度情報を検出し、
上記制御部は、上記記憶部に記憶された上記第一閾値を、上記第一モードにおける上記角度検出部の検出値に更新する。
【０３６１】
＜参考例６＞
参考例６に係るアイウェアは、参考例３又は４に係るアイウェアであって、
上記検出部は、上記第一モードにおいて、上記制御部の電気的制御により上記光学特性変化部がＯＮ状態となってからＯＦＦ状態になるまでの期間、上記角度情報を検出し、
上記制御部は、上記記憶部に記憶された上記第一閾値を、上記期間において上記角度検出部により最も高頻度で検出された検出値に更新する。
【０３６２】
＜参考例７＞
参考例７に係るプログラムは、フレームに支持され、電気的制御により光学特性が変化する光学特性変化部を有するレンズを備えるアイウェアに搭載されたコンピュータに、
上記レンズに対向する情報媒体に関する情報を取得する処理と、
上記フレームの傾斜角に関する角度情報を検出する処理と、
検出した上記角度情報及び取得した上記情報媒体に関する情報に基づいて上記電気的制御を行う処理と、
を実施させる。
【０３６３】
＜参考例８＞
参考例８に係るプログラムは、参考例７に係るプログラムであって、
上記情報媒体に対応する第一閾値を取得する処理を、さらに含み
上記電気的制御を行う処理は、上記傾斜角に関する情報が上記第一閾値に一致した場合に、上記光学特性変化部をＯＮ状態にする。
【０３６４】
＜参考例９＞
参考例９に係るプログラムは、参考例８に係るプログラムであって、
上記傾斜角に関する情報を検出する処理を、ユーザの操作入力に基づいて上記電気的制御が行われた際に行わせ、記憶された上記第一閾値を、検出された上記傾斜角に関する情報に更新する処理、をさらに含む。
【産業上の利用可能性】
【０３６５】
本発明は、電子メガネに限らず、種々のアイウェアに好適に利用できる。
【符号の説明】
【０３６６】
Ｇ  電子メガネ
１０  フレーム
１０ａ  フロント
１０ｂ、１０ｃ  テンプル
１０ｄ  リム
１０ｅ  ブリッジ
１０ｆ  鼻パッド
１０ｇ  筐体
１１  レンズ
１１ａ  第一領域
１１ｂ  第二領域
１１０  第一基板
１１０ａ  回折構造
１１１  特性変化部
１１１ａ  第一電極
１１１ｃ  液晶モジュール
１１１ｅ  第二電極
１１２  第二基板
１２、１２Ａ  操作入力部
１３、１３Ａ  電源
１４、１４Ａ  通信部
１５、１５Ａ  角度検出部
１６、１６Ａ  距離検出部
１７、１７Ａ  照度検出部
１８、１８Ａ  動作検出部
１９、１９Ａ  記憶部
２０、２０Ａ  制御部
２１  配線
２２Ａ  認識部
２３Ａ  取得部
５、５Ａ  外部端末
５１、５１Ａ  通信部
５２、５２Ａ  入力部
５３、５３Ａ  表示部
５４  撮像部
５５  状態取得部
５６、５６Ａ  距離検出部
５７  画像認識部
５８、５８Ａ  記憶部
５９、５９Ａ  制御部
１００１  プロセッサ
１００２  入力装置
１００３  出力装置
１００４  メモリ
１００５  ストレージ
１００６  撮像装置
１００７  通信インタフェース（ＩＦ）
１００８  センサ
１００９  電源回路
１０１０  バス
７  サーバ
７１  通信部
７２  記憶部
７３  制御部
【図１】
2020067265.tif 000003
【図２】
2020067265.tif 000004
【図３】
2020067265.tif 000005
【図４Ａ】
2020067265.tif 000006
【図４Ｂ】
2020067265.tif 000007
【図４Ｃ】
2020067265.tif 000008
【図４Ｄ】
2020067265.tif 000009
【図５】
2020067265.tif 000010
【図６】
2020067265.tif 000011
【図７】
2020067265.tif 000012
【図８】
2020067265.tif 000013
【図９】
2020067265.tif 000014
【図１０】
2020067265.tif 000015
【図１１】
2020067265.tif 000016
【図１２】
2020067265.tif 000017
【図１３】
2020067265.tif 000018
【図１４】
2020067265.tif 000019
【図１５】
2020067265.tif 000020
【図１６Ａ】
2020067265.tif 000021
【図１６Ｂ】
2020067265.tif 000022
【図１６Ｃ】
2020067265.tif 000023
【図１７Ａ】
2020067265.tif 000024
【図１７Ｂ】
2020067265.tif 000025
【図１７Ｃ】
2020067265.tif 000026
【国際調査報告】
2020067265.tif 000027
2020067265.tif 000028
2020067265.tif 000029
2020067265.tif 000030